(57)【特許請求の範囲】
【請求項１】
ワイヤレス通信を管理するための方法であって、
カバレッジ内モバイルデバイスによって、カバレッジ外モバイルデバイスからのピア発見メッセージを受信すること、前記カバレッジ内モバイルデバイスは、基地局のカバレッジ内のモバイルデバイスであり、前記カバレッジ外モバイルデバイスは、前記基地局のカバレッジの外にあるかまたはカバレッジの外に移行することになろうとしているモバイルデバイスであり、前記ピア発見メッセージは、前記カバレッジ外モバイルデバイスによって要求される中継サービスまたは前記基地局が関連付けられるワイヤレス通信システムを介したサービスのインジケーションを備える、と、
前記ピア発見メッセージに応じて、前記カバレッジ内モバイルデバイスによって、中継ステータスに移行すると決定すること、前記中継ステータスにある前記カバレッジ内モバイルデバイスは、前記カバレッジ内モバイルデバイスと通信状態にある前記基地局と、前記カバレッジ外モバイルデバイスとの間の中継デバイスとして機能し、前記中継ステータスに移行すると決定することは、前記カバレッジ外モバイルデバイスによって要求される前記中継サービスまたは前記サービスに基づいて決定する、と、
前記カバレッジ内モバイルデバイスによって、中継ステータスへの前記移行および前記カバレッジ外モバイルデバイスからの前記ピア発見メッセージに少なくとも部分的に基づいて、前記カバレッジ外モバイルデバイスに中継能力信号を送信すること、前記中継能力信号は、前記カバレッジ内モバイルデバイスの前記中継ステータスを示す、と
を備える、方法。
【請求項２】
前記カバレッジ内モバイルデバイスの利用可能な動作電力がしきい値を超えると決定することと、
前記カバレッジ内モバイルデバイスの前記利用可能な動作電力が前記しきい値を超えるとの前記決定に少なくとも部分的に基づいて、前記中継ステータスに移行すると決定することと
をさらに備える、請求項１に記載の方法。
【請求項３】
前記カバレッジ内モバイルデバイスの利用可能な送信帯域幅がしきい値を超えると決定することと、
前記カバレッジ内モバイルデバイスの前記利用可能な送信帯域幅が前記しきい値を超えるとの前記決定に少なくとも部分的に基づいて、前記中継ステータスに移行すると決定することと
をさらに備える、請求項１に記載の方法。
【請求項４】
前記カバレッジ外モバイルデバイスと直接リンクを確立することをさらに備える、
請求項１に記載の方法。
【請求項５】
前記カバレッジ外モバイルデバイスによって要求される前記サービスが前記基地局によって提供されるか、または前記中継サービスが前記カバレッジ内モバイルデバイスによってサポートされると、前記カバレッジ内モバイルデバイスによって決定することと、
前記カバレッジ外モバイルデバイスによって要求される前記サービスが前記基地局によって提供されるか、または前記中継サービスが前記カバレッジ内モバイルデバイスによってサポートされるとの前記決定に少なくとも部分的に基づいて、前記カバレッジ外モバイルデバイスと直接リンクを確立することと
をさらに備える、請求項１に記載の方法。
【請求項６】
前記基地局から送信を受信することと、
前記カバレッジ外モバイルデバイスに前記送信を再送信することと
をさらに備える、請求項１に記載の方法。
【請求項７】
前記カバレッジ外モバイルデバイスから送信を受信することと、
前記基地局に前記送信を再送信することと
をさらに備える、請求項１に記載の方法。
【請求項８】
前記基地局からデータを受信することと、
前記カバレッジ外モバイルデバイスに前記データを再送信することと
をさらに備える、請求項１に記載の方法。
【請求項９】
前記カバレッジ内モバイルデバイスが前記基地局のカバレッジエリア中にあると決定することと、
前記カバレッジ内モバイルデバイスによって、前記基地局と直接通信することと
をさらに備える、請求項１に記載の方法。
【請求項１０】
前記カバレッジ外モバイルデバイスが前記基地局からのカバレッジの外にあると決定することと、
前記カバレッジ外モバイルデバイスが前記基地局と間接的に通信するように、前記カバレッジ内モバイルデバイスによって、前記カバレッジ外モバイルデバイスと通信することと
をさらに備える、請求項１に記載の方法。
【請求項１１】
ワイヤレス通信を管理するためのモバイルデバイスであって、前記モバイルデバイスは、基地局のカバレッジ中にあり、
カバレッジ外モバイルデバイスからのピア発見メッセージを受信するための手段、前記カバレッジ外モバイルデバイスは、前記基地局のカバレッジの外にあるかまたはカバレッジの外に移行することになろうとしているモバイルデバイスであり、前記ピア発見メッセージは、前記カバレッジ外モバイルデバイスによって要求される中継サービスまたは前記基地局が関連付けられるワイヤレス通信システムを介したサービスのインジケーションを備える、と、
前記ピア発見メッセージに応じて、中継ステータスに移行すると決定するための手段、前記中継ステータスにある前記カバレッジ内モバイルデバイスは、前記カバレッジ内モバイルデバイスと通信状態にある前記基地局と、前記カバレッジ外モバイルデバイスとの間の中継デバイスとして機能し、前記中継ステータスに移行すると決定することは、前記カバレッジ外モバイルデバイスによって要求される前記中継サービスまたは前記サービスに基づいて決定する、と、
中継ステータスへの前記移行および前記カバレッジ外モバイルデバイスからの前記ピア発見メッセージに少なくとも部分的に基づいて、前記カバレッジ外モバイルデバイスに中継能力信号を送信するための手段、前記中継能力信号は、前記カバレッジ内モバイルデバイスの前記中継ステータスを示す、と
を備える、モバイルデバイス。
【請求項１２】
前記カバレッジ内モバイルデバイスの利用可能な動作電力がしきい値を超えると決定するための手段と、
前記カバレッジ内モバイルデバイスの前記利用可能な動作電力が前記しきい値を超えるとの前記決定に少なくとも部分的に基づいて、前記中継ステータスに移行すると決定するための手段と
をさらに備える、請求項１１に記載のカバレッジ内モバイルデバイス。
【請求項１３】
前記カバレッジ内モバイルデバイスの利用可能な送信帯域幅がしきい値を超えると決定するための手段と、
前記カバレッジ内モバイルデバイスの前記利用可能な送信帯域幅が前記しきい値を超えるとの前記決定に少なくとも部分的に基づいて、前記中継ステータスに移行すると決定するための手段と
をさらに備える、請求項１１に記載のカバレッジ内モバイルデバイス。
【請求項１４】
前記カバレッジ外モバイルデバイスと直接リンクを確立するための手段をさらに備える、
請求項１１に記載のカバレッジ内モバイルデバイス。
【請求項１５】
前記カバレッジ外モバイルデバイスによって要求される前記サービスが前記基地局によって提供されるか、または前記中継サービスが前記カバレッジ内モバイルデバイスによってサポートされると、前記カバレッジ内モバイルデバイスによって決定するための手段と、
前記カバレッジ外モバイルデバイスによって要求される前記サービスが前記基地局によって提供されるか、または前記中継サービスが前記カバレッジ内モバイルデバイスによってサポートされるとの前記決定に少なくとも部分的に基づいて、前記カバレッジ外モバイルデバイスと直接リンクを確立するための手段と
をさらに備える、請求項１１に記載のカバレッジ内モバイルデバイス。
【請求項１６】
前記基地局から送信を受信するための手段と、
前記カバレッジ外モバイルデバイスに前記送信を再送信するための手段と
をさらに備える、請求項１１に記載のカバレッジ内モバイルデバイス。
【請求項１７】
前記カバレッジ外モバイルデバイスから送信を受信するための手段と、
前記基地局に前記送信を再送信するための手段と
をさらに備える、請求項１１に記載のカバレッジ内モバイルデバイス。
【請求項１８】
前記基地局からデータを受信するための手段と、
前記カバレッジ外モバイルデバイスに前記データを再送信するための手段と
をさらに備える、請求項１１に記載のカバレッジ内モバイルデバイス。
【請求項１９】
前記カバレッジ内モバイルデバイスが前記基地局のカバレッジエリア中にあると決定するための手段と、
前記カバレッジ内モバイルデバイスによって、前記基地局と直接通信するための手段と
をさらに備える、請求項１１に記載のカバレッジ内モバイルデバイス。
【請求項２０】
前記カバレッジ外モバイルデバイスが前記基地局からのカバレッジの外にあると決定するための手段と、
前記カバレッジ外モバイルデバイスが前記基地局と間接的に通信するように、前記カバレッジ外モバイルデバイスと通信するための手段と
をさらに備える、請求項１１に記載のカバレッジ内モバイルデバイス。
【請求項２１】
ワイヤレス通信を管理するためのモバイルデバイスであって、
プロセッサと、
前記プロセッサと電子通信状態にあるメモリと、
前記メモリに記憶された命令と
を備え、前記命令は、前記プロセッサが、
基地局のカバレッジにある間に、カバレッジ外モバイルデバイスからのピア発見メッセージを受信すること、前記カバレッジ外モバイルデバイスは、前記基地局のカバレッジの外にあるかまたはカバレッジの外に移行することになろうとしているモバイルデバイスであり、前記ピア発見メッセージは、前記カバレッジ外モバイルデバイスによって要求される中継サービスまたは前記基地局が関連付けられるワイヤレス通信システムを介したサービスのインジケーションを備える、と、
前記ピア発見メッセージに応じて、中継ステータスに移行すると決定すること、前記中継ステータスにある前記カバレッジ内モバイルデバイスは、前記カバレッジ内モバイルデバイスと通信状態にある前記基地局と、前記カバレッジ外モバイルデバイスとの間の中継デバイスとして機能し、前記中継ステータスに移行すると決定することは、前記カバレッジ外モバイルデバイスによって要求される前記中継サービスまたは前記サービスに基づいて決定する、と、
中継ステータスへの前記移行および前記カバレッジ外モバイルデバイスからの前記ピア発見メッセージに少なくとも部分的に基づいて、前記カバレッジ外モバイルデバイスに中継能力信号を送信すること、前記中継能力信号は、前記カバレッジ内モバイルデバイスの前記中継ステータスを示す、と
を行うように実行可能である、モバイルデバイス。
【請求項２２】
前記命令は、前記プロセッサが、
前記カバレッジ内モバイルデバイスの利用可能な動作電力がしきい値を超えると決定することと、
前記カバレッジ内モバイルデバイスの前記利用可能な動作電力が前記しきい値を超えるとの前記決定に少なくとも部分的に基づいて、前記中継ステータスに移行すると決定することと
を行うように実行可能である、請求項２１に記載のカバレッジ内モバイルデバイス。
【請求項２３】
前記命令は、前記プロセッサが、
前記カバレッジ内モバイルデバイスの利用可能な送信帯域幅がしきい値を超えると決定することと、
前記カバレッジ内モバイルデバイスの前記利用可能な送信帯域幅が前記しきい値を超えるとの前記決定に少なくとも部分的に基づいて、前記中継ステータスに移行すると決定することと
を行うように実行可能である、請求項２１に記載のカバレッジ内モバイルデバイス。
【請求項２４】
前記命令は、前記プロセッサが、
前記カバレッジ外モバイルデバイスと直接リンクを確立することを行うように実行可能である、
請求項２１に記載のカバレッジ内モバイルデバイス。
【請求項２５】
前記命令は、前記プロセッサが、
前記カバレッジ外モバイルデバイスによって要求される前記サービスが前記基地局によって提供されるか、または前記中継サービスが前記カバレッジ内モバイルデバイスによってサポートされると決定することと、
前記カバレッジ外モバイルデバイスによって要求される前記サービスが前記基地局によって提供されるか、または前記中継サービスが前記カバレッジ内モバイルデバイスによってサポートされるとの前記決定に少なくとも部分的に基づいて、前記カバレッジ外モバイルデバイスと直接リンクを確立することと
を行うように実行可能である、請求項２１に記載のカバレッジ内モバイルデバイス。
【請求項２６】
前記命令は、前記プロセッサが、
前記基地局からデータを受信することと、
前記カバレッジ外モバイルデバイスに前記データを再送信することと
を行うように実行可能である、請求項２１に記載のカバレッジ内モバイルデバイス。
【請求項２７】
前記命令は、前記プロセッサが、
前記カバレッジ内モバイルデバイスが前記基地局のカバレッジエリア中にあると決定することと、
前記基地局と直接通信することと
を行うように実行可能である、請求項２１に記載のカバレッジ内モバイルデバイス。
【請求項２８】
前記命令は、前記プロセッサが、
前記カバレッジ外モバイルデバイスが前記基地局からのカバレッジの外にあると決定することと、
前記カバレッジ外モバイルデバイスが前記基地局と間接的に通信するように、前記カバレッジ外モバイルデバイスと通信することと
を行うように実行可能である、請求項２１に記載のカバレッジ内モバイルデバイス。
【請求項２９】
ワイヤレス通信を管理するためのコンピュータプログラムであって、前記コンピュータプログラムは、命令を備え、前記命令は、プロセッサが、
基地局のカバレッジ内モバイルデバイスによって、カバレッジ外モバイルデバイスからのピア発見メッセージを受信すること、前記カバレッジ外モバイルデバイスは、前記基地局のカバレッジの外にあるかまたはカバレッジの外に移行することになろうとしているモバイルデバイスであり、前記ピア発見メッセージは、前記カバレッジ外モバイルデバイスによって要求される中継サービスまたは前記基地局が関連付けられるワイヤレス通信システムを介したサービスのインジケーションを備える、と、
前記ピア発見メッセージに応じて、前記カバレッジ内モバイルデバイスによって、中継ステータスに移行すると決定すること、前記中継ステータスにある前記カバレッジ内モバイルデバイスは、前記カバレッジ内モバイルデバイスと通信状態にある前記基地局と、前記カバレッジ外モバイルデバイスとの間の中継デバイスとして機能し、前記中継ステータスに移行すると決定することは、前記カバレッジ外モバイルデバイスによって要求される前記中継サービスまたは前記サービスに基づいて決定する、と
前記カバレッジ外モバイルデバイスによって、中継ステータスへの前記移行および前記カバレッジ外モバイルデバイスからの前記ピア発見メッセージに少なくとも部分的に基づいて、前記カバレッジ外モバイルデバイスに中継能力信号を送信すること、前記中継能力信号は、前記カバレッジ内モバイルデバイスの前記中継ステータスを示す、と
を行うように実行可能である、コンピュータプログラム。
【請求項３０】
前記命令は、前記プロセッサが、
前記カバレッジ内モバイルデバイスの利用可能な動作電力がしきい値を超えると決定することと、
前記カバレッジ内モバイルデバイスの前記利用可能な動作電力が前記しきい値を超えるとの前記決定に少なくとも部分的に基づいて、前記中継ステータスに移行すると決定することと
を行うように実行可能である、請求項２９に記載のコンピュータプログラム。
【請求項３１】
前記命令は、前記プロセッサが、
前記カバレッジ内モバイルデバイスの利用可能な送信帯域幅がしきい値を超えると決定することと、
前記カバレッジ内モバイルデバイスの前記利用可能な送信帯域幅が前記しきい値を超えるとの前記決定に少なくとも部分的に基づいて、前記中継ステータスに移行すると決定することと
を行うように実行可能である、請求項２９に記載のコンピュータプログラム。
【請求項３２】
前記命令は、前記プロセッサが、
前記カバレッジ外モバイルデバイスと直接リンクを確立することを行うように実行可能である、
請求項２９に記載のコンピュータプログラム。
【請求項３３】
前記命令は、前記プロセッサが、
前記カバレッジ外モバイルデバイスが前記基地局からのカバレッジの外にあると決定することと、
前記カバレッジ外モバイルデバイスが前記基地局と間接的に通信するように、前記カバレッジ外モバイルデバイスと通信することと
を行うように実行可能である、請求項２９に記載のコンピュータプログラム。
【請求項３４】
ワイヤレス通信を管理するための方法であって、
カバレッジ外モバイルデバイスによって要求される中継サービスまたは基地局が関連付けられるワイヤレス通信システムを介したサービスのインジケーションを備えるピア発見メッセージを、前記カバレッジ外モバイルデバイスによって送信すること、ここにおいて、前記カバレッジ外モバイルデバイスは、基地局に関してカバレッジの外にあるかまたはカバレッジの外に移行することになろうとしているモバイルデバイスに対応する、と、
前記ピア発見メッセージに応じて、前記カバレッジ外モバイルデバイスによって、前記基地局のカバレッジ中のモバイルデバイスからの中継能力メッセージを受信すること、前記中継能力メッセージは、前記カバレッジ内モバイルデバイスの中継ステータスを示し、前記中継ステータスにある前記カバレッジ内モバイルデバイスは、前記カバレッジ外モバイルデバイスと、前記基地局との間の中継デバイスとして機能する、と、
前記中継能力メッセージに基づいて、前記カバレッジ外モバイルデバイスと前記基地局との間の通信のための中継デバイスとして前記カバレッジ内モバイルデバイスを使用するかどうかを決定することと
を備える、方法。
【請求項３５】
前記決定は、前記カバレッジ内モバイルデバイスの残りのバッテリ寿命に基づく、請求項３４に記載の方法。
【請求項３６】
前記ピア発見メッセージは、ブロードキャスト信号である、請求項３４に記載の方法。
【請求項３７】
モバイルデバイスにおいて、ワイヤレス通信を管理するための装置であって、
カバレッジ外状態で、前記モバイルデバイスによって要求される中継サービスまたは基地局が関連付けられるワイヤレス通信システムを介したサービスのインジケーションを備えるピア発見メッセージを送信するための手段、前記カバレッジ外状態は、基地局に関してカバレッジ外であるかまたはカバレッジ外に移行することになろうとしている前記モバイルデバイスに対応する、と、
前記ピア発見メッセージに応じて、前記基地局のカバレッジ中のモバイルデバイスからの中継能力メッセージを受信するための手段、前記中継能力メッセージは、前記カバレッジ内モバイルデバイスの中継ステータスを示し、前記中継ステータスにある前記カバレッジ内モバイルデバイスは、前記カバレッジ外モバイルデバイスと、前記基地局との間の中継デバイスとして機能する、と、
前記中継能力メッセージに基づいて、前記カバレッジ外モバイルデバイスと前記基地局との間の通信のための中継デバイスとして前記カバレッジ内モバイルデバイスを使用するかどうかを決定するための手段と
を備える、装置。
【請求項３８】
前記決定は、前記カバレッジ内モバイルデバイスの残りのバッテリ寿命に基づく、請求項３７に記載のカバレッジ外モバイルデバイス。
【請求項３９】
前記ピア発見メッセージは、ブロードキャスト信号である、請求項３７に記載のカバレッジ外モバイルデバイス。
【請求項４０】
モバイルデバイスにおいて、ワイヤレス通信を管理するための装置であって、
プロセッサと、
前記プロセッサと電子通信状態にあるメモリと、
前記メモリに記憶された命令と
を備え、前記命令は、前記プロセッサが、
カバレッジ外状態にある間に、前記モバイルデバイスによって要求される中継サービスまたは基地局が関連付けられるワイヤレス通信システムを介したサービスのインジケーションを備えるピア発見メッセージを送信すること、ここにおいて、カバレッジ外モバイルデバイスは、基地局に関してカバレッジ外であるかまたはカバレッジ外に移行することになろうとしている前記モバイルデバイスに対応する、と、
前記ピア発見メッセージに応じて、前記カバレッジ外モバイルデバイスによって、前記基地局のカバレッジ中のモバイルデバイスからの中継能力メッセージを受信すること、前記中継能力メッセージは、前記カバレッジ内モバイルデバイスの中継ステータスを示し、前記中継ステータスにある前記カバレッジ内モバイルデバイスは、前記カバレッジ外モバイルデバイスと、前記基地局との間の中継デバイスとして機能する、と、
前記中継能力メッセージに基づいて、前記カバレッジ外モバイルデバイスと前記基地局との間の通信のための中継デバイスとして前記カバレッジ内モバイルデバイスを使用するかどうかを決定することと
を行うように実行可能である、装置。
【請求項４１】
前記決定は、前記カバレッジ内モバイルデバイスの残りのバッテリ寿命に基づく、請求項４０に記載のカバレッジ外モバイルデバイス。
【請求項４２】
前記ピア発見メッセージは、ブロードキャスト信号である、請求項４０に記載のカバレッジ外モバイルデバイス。
【請求項４３】
モバイルデバイスにおいて、ワイヤレス通信を管理するためのコンピュータプログラムであって、前記コンピュータプログラムは、命令を備え、前記命令は、プロセッサが、
カバレッジ外状態にある間に、前記モバイルデバイスによって要求される中継サービスまたは基地局が関連付けられるワイヤレス通信システムを介したサービスのインジケーションを備えるピア発見メッセージを送信すること、ここにおいて、前記カバレッジ外状態は、基地局に関してカバレッジ外であるかまたはカバレッジ外に移行することになろうとしている前記モバイルデバイスに対応する、と、
前記ピア発見メッセージに応じて、前記カバレッジ外モバイルデバイスによって、前記基地局のカバレッジ中のモバイルデバイスからの中継能力メッセージを受信すること、前記中継能力メッセージは、前記カバレッジ内モバイルデバイスの中継ステータスを示し、前記中継ステータスにある前記カバレッジ内モバイルデバイスは、前記カバレッジ外モバイルデバイスと、前記基地局との間の中継デバイスとして機能する、と、
前記中継能力メッセージに基づいて、前記カバレッジ外モバイルデバイスと前記基地局との間の通信のための中継デバイスとして前記カバレッジ内モバイルデバイスを使用するかどうかを決定することと
を行うように実行可能である、コンピュータプログラム。
【請求項４４】
前記決定は、前記カバレッジ内モバイルデバイスの残りのバッテリ寿命に基づく、請求項４３に記載のコンピュータプログラム。
【請求項４５】
前記ピア発見メッセージは、ブロードキャスト信号である、請求項４３に記載のコンピュータプログラム。
【発明の詳細な説明】
【相互参照】
【０００１】
[0001]本特許出願は、この譲受人に譲渡され、２０１３年７月３０日付けで提出された、「Power Efficient Discovery of LTE-Direct Relay for Out-of-Coverage Devices」という題名の、Ｗｕ他による米国特許出願第１３／９５４，３９７号に優先権を主張する。
【背景技術】
【０００２】
[0002]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって多数のユーザとの通信をサポートする能力を有する多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
[0003]概して、ワイヤレス多元接続通信システムは、多くの基地局を含むことができ、各々が同時に、複数のモバイルデバイスのための通信をサポートする。基地局は、ダウンストリームおよびアップストリームリンク上でモバイルデバイスと通信することができる。各基地局は、セルのカバレッジエリアと称されうる、カバレッジ範囲を有する。モバイルデバイスが基地局のカバレッジエリアの外に移動するとき、それは、基地局が関連付けられるワイヤレス通信システムを介したサービスを失いうる。
【発明の概要】
【０００４】
[0004]説明される特徴は概して、ワイヤレス通信を管理するための１つまたは複数の改善された方法、システム、および／または装置に関連する。
【０００５】
[0005]ワイヤレス通信を管理するための第１の方法が説明される。一構成では、モバイルデバイスは、中継ステータスに移行すると決定することができる。中継ステータスは、少なくとも１つの他のモバイルデバイスと基地局との間の中継デバイスとして機能するモバイルデバイスの能力を示すことができる。中継ステータスを示すピア発見信号がその後、送信されうる。
【０００６】
[0006]方法のいくつかの実施形態では、モバイルデバイスの利用可能な動作電力がしきい値を超えるかどうかが決定されうる。モバイルデバイスの利用可能な動作電力がしきい値を超えると決定すると、中継ステータスに移行することが決定されうる。
【０００７】
[0007]方法のいくつかの実施形態では、モバイルデバイスの利用可能な送信帯域幅がしきい値を超えるかどうかが決定されうる。モバイルデバイスの利用可能な送信帯域幅がしきい値を超えると決定すると、中継ステータスに移行することが決定されうる。
【０００８】
[0008]方法のいくつかの実施形態では、カバレッジ外（out-of-coverage）ステータスインジケータまたは中継するサービスのための要求が、少なくとも１つの他のモバイルデバイスのうちの１つから受信されうる。いくつかのケースでは、直接リンクが、少なくとも１つの他のモバイルデバイスのうちの１つと確立されうる。他のケースでは、少なくとも１つの他のモバイルデバイスのうちのその１つによって要求されるサービスが基地局によって提供されるかどうかが決定され得、少なくとも１つの他のモバイルデバイスのうちのその１つによって要求されるサービスが基地局によって提供されると決定すると、直接リンクが、少なくとも１つの他のモバイルデバイスのうちの１つと確立されうる。
【０００９】
[0009]方法のいくつかの実施形態では、送信が基地局から受信され得、その送信は少なくとも１つの他のモバイルデバイスのうちの１つに再送信されうる。
【００１０】
[0010]方法のいくつかの実施形態では、送信が少なくとも１つの他のモバイルデバイスうちの１つから受信され得、送信が基地局に再送信されうる。
【００１１】
[0011]いくつかの実施形態では、データが基地局から受信され得、そのデータは少なくとも１つの他のモバイルデバイスのうちの１つに再送信されうる。
【００１２】
[0012]いくつかの実施形態では、方法は、少なくとも１つの他のモバイルデバイスが基地局のカバレッジエリアの外で動作するのに対して基地局のカバレッジエリア中で動作することを含むことができる。
【００１３】
[0013]ワイヤレス通信を管理するためのモバイルデバイスもまた、説明される。一構成では、モバイルデバイスは、中継ステータスに移行すると決定するための手段と、中継ステータスを示すピア発見信号を送信するための手段とを含むことができる。中継ステータスは、少なくとも１つの他のモバイルデバイスと基地局との間の中継デバイスとして機能するモバイルデバイスの能力を示すことができる。
【００１４】
[0014]ワイヤレス通信を管理するための別のモバイルデバイスもまた、説明される。一構成は、モバイルデバイスは、プロセッサ、プロセッサと電子通信状態にあるメモリ、およびメモリに記憶された命令を含むことができる。命令は、中継ステータスに移行すると決定することと、中継ステータスを示すピア発見信号を送信することとがプロセッサによって実行可能でありうる。中継ステータスは、少なくとも１つの他のモバイルデバイスと基地局との間の中継デバイスとして機能するモバイルデバイスの能力を示すことができる。
【００１５】
[0015]ワイヤレス通信を管理するためのコンピュータプログラム製品もまた、説明される。一構成では、コンピュータプログラム製品は、中継ステータスに移行すると決定することと、中継ステータスを示すピア発見信号を送信することと、がプロセッサによって実行可能な命令を記憶する非一時的なコンピュータ可読媒体を含むことができる。中継ステータスは、少なくとも１つの他のモバイルデバイスと基地局との間の中継デバイスとして機能するモバイルデバイスの能力を示すことができる。
【００１６】
[0016]ワイヤレス通信を管理するための第２の方法が説明される。一構成では、モバイルデバイスは、第１のピア発見信号においてカバレッジ外ステータスインジケータをブロードキャストすることができる。第２のピア発見信号は、少なくとも１つの他のモバイルデバイスから受信されうる。第２のピア発見信号は、中継デバイスとして機能する少なくとも１つの他のモバイルデバイスの機能を示すことができる。
【００１７】
[0017]方法のいくつかの実施形態では、直接リンクが、少なくとも１つの他のモバイルデバイスのうちの１つと確立されうる。
【００１８】
[0018]方法のいくつかの実施形態では、少なくとも１つの他のモバイルデバイスのうちの１つとの通信の信号強度がしきい値を超えるかどうかが決定され得、少なくとも１つの他のモバイルデバイスのうちのその１つとの通信の信号強度がしきい値を超えると決定すると、直接リンクが、少なくとも１つの他のモバイルデバイスのうちのその１つと確立されうる。
【００１９】
[0019]方法のいくつかの実施形態では、少なくとも１つの他のモバイルデバイスの各々との通信の信号強度がしきい値を超えるかどうかが決定され、少なくとも１つの他のモバイルデバイスのうちのその１つとの通信の信号強度がしきい値を超えると決定すると、直接リンクが、少なくとも１つの他のモバイルデバイスのうちの１つと確立されうる。
【００２０】
[0020]方法のいくつかの実施形態では、カバレッジ外ステータスインジケータは、基地局のカバレッジエリアの外で動作する前に第１のピア発見信号においてブロードキャストされうる。
【００２１】
[0021]方法のいくつかの実施形態では、カバレッジ外ステータスインジケータは、基地局のカバレッジエリアの外で動作したことに後続して前に第１のピア発見信号においてブロードキャストされうる。
【００２２】
[0022]方法のいくつかの実施形態では、モバイルデバイスは、中継ステータスに移行すると決定することができる。中継ステータスは、少なくとも１つの他のモバイルデバイスと、基地局のカバレッジエリアの外で動作する少なくとも１つのカバレッジ外モバイルデバイスとの間の中継デバイスとして機能するモバイルデバイスの能力を示すことができる。方法はさらに、中継ステータスを示す第３のピア発見信号を送信することをさらに含むことができる。
【００２３】
[0023]方法のいくつかの実施形態では、カバレッジ外ステータスインジケータまたは少なくとも１つのカバレッジ外モバイルデバイスのうちの１つからの中継するサービスのための要求が受信され得、直接リンクは、少なくとも１つのカバレッジ外モバイルデバイスのうちの１つと確立されうる。いくつかのケースでは、少なくとも１つの他のモバイルデバイスのうちの１つからのデータが受信され得、そのデータは、少なくとも１つのカバレッジ外モバイルデバイスのうちの１つに送信されうる。いくつかのケースでは、少なくとも１つのカバレッジ外モバイルデバイスのうちの１つからのデータが受信され得、そのデータは、少なくとも１つの他のモバイルデバイスのうちの１つに送信されうる。
【００２４】
[0024]ワイヤレス通信を管理するためのモバイルデバイスもまた、説明される。一構成では、モバイルデバイスは、第１のピア発見信号においてカバレッジ外ステータスインジケータをブロードキャストするための手段と、少なくとも１つの他のモバイルデバイスから第２のピア発見信号を受信するための手段とを含むことができる。第２のピア発見信号は、中継デバイスとして機能する少なくとも１つの他のモバイルデバイスの機能を示すことができる。
【００２５】
[0025]ワイヤレス通信を管理するための別のモバイルデバイスもまた、説明される。一構成は、モバイルデバイスは、プロセッサ、プロセッサと電子通信状態にあるメモリ、およびメモリに記憶された命令を含むことができる。命令は、第１のピア発見信号においてカバレッジ外ステータスインジケータをブロードキャストすることと、少なくとも１つの他のモバイルデバイスから第２のピア発見信号を受信することとがプロセッサによって実行可能でありうる。第２のピア発見信号は、中継デバイスとして機能する少なくとも１つの他のモバイルデバイスの機能を示すことができる。
【００２６】
[0026]ワイヤレス通信を管理するためのコンピュータプログラム製品もまた、説明される。一構成では、コンピュータプログラム製品は、第１のピア発見信号においてカバレッジ外ステータスインジケータを、モバイルデバイスを介してブロードキャストすることと、少なくとも１つの他のモバイルデバイスから第２のピア発見信号を受信することとがプロセッサによって実行可能な命令を記憶する非一時的なコンピュータ可読媒体を含むことができる。第２のピア発見信号は、中継デバイスとして機能する少なくとも１つの他のモバイルデバイスの機能を示すことができる。
【００２７】
[0027]説明されている方法および装置の適用性のさらなる範囲は、以下の発明を実施するための形態（detailed description）、請求項、および図面から明らかになるだろう。発明を実施するための形態の範囲および趣旨内の様々な変更および修正が当業者に明らかになるため、発明を実施するための形態および具体的な例は、例示のみを目的として与えられている。
【図面の簡単な説明】
【００２８】
[0028]本発明の本質および利点のさらなる理解は、以下の図面を参照することによって実現されうる。添付された図において、同じコンポーネントまたは特徴は、同じ参照ラベルを有することができる。さらに、同じタイプの様々なコンポーネントは、参照ラベルに、類似のコンポーネントを区別するダッシュと第２のラベルとを後続させることによって区別されうる。本明細書で第１の参照ラベルのみが使用されている場合には、その説明は、第２の参照ラベルに関わらず、同じ第１の参照ラベルを有する類似のコンポーネントのどれにも適用可能である。
【図１】ワイヤレス通信システムの例のブロック図である。
【図２】様々な実施形態にしたがった、ワイヤレス通信が管理されうる環境の例のブロック図である。
【図３Ａ】様々な実施形態にしたがった、基地局のカバレッジエリア中で動作するモバイルデバイスと基地局のカバレッジエリアの外で動作するモバイルデバイスとの間の通信の実施形態を例示しているメッセージフローチャートである。
【図３Ｂ】様々な実施形態にしたがった、基地局のカバレッジエリア中で動作するモバイルデバイスと基地局のカバレッジエリアの外で動作するモバイルデバイスとの間の通信の実施形態を例示しているメッセージフローチャートである。
【図４】様々な実施形態にしたがった、モバイルデバイスの例のブロック図である。
【図５】様々な実施形態にしたがった、ピア発見モジュールの例のブロック図である。
【図６】様々な実施形態にしたがった、ワイヤレス通信を管理するための様々な方法のフローチャートである。
【図７】様々な実施形態にしたがった、ワイヤレス通信を管理するための様々な方法のフローチャートである。
【図８】様々な実施形態にしたがった、ワイヤレス通信を管理するための様々な方法のフローチャートである。
【図９】様々な実施形態にしたがった、ワイヤレス通信を管理するための様々な方法のフローチャートである。
【図１０】様々な実施形態にしたがった、ワイヤレス通信を管理するための様々な方法のフローチャートである。
【図１１】様々な実施形態にしたがった、ワイヤレス通信を管理するための様々な方法のフローチャートである。
【図１２】様々な実施形態にしたがった、ワイヤレス通信を管理するための様々な方法のフローチャートである。
【発明を実施するための形態】
【００２９】
[0035]ワイヤレス通信システムの基地局は、カバレッジエリアに関連付けられる。モバイルデバイスが基地局のカバレッジエリアの外に移動するとき、それは、基地局が関連付けられるワイヤレス通信システムを介したサービスを失いうる。サービス損失の可能性を軽減するために、モバイルデバイスは、ピア発見メッセージにおいてカバレッジ外ステータスインジケータをブロードキャストすることができる。カバレッジ外ステータスインジケータを受信するカバレッジ内モバイルデバイスはその後、それがカバレッジ外モバイルデバイスに対して中継サービスを提供する（すなわち、中継デバイスとして機能する）能力を有するかどうかを決定することができる。代わりとして、カバレッジ内モバイルデバイスは、中継ステータスに積極的に移行し、その中継ステータスを示すピア発見信号を送信（例えば、ブロードキャスト）することができる。カバレッジ内モバイルデバイスのピア発見信号を受信するカバレッジ外モバイルデバイスはその後、カバレッジ内モバイルデバイスに中継要求を送信することができる。いくつかのケースでは、ピア発見信号は、ロングタームエボリューション（ＬＴＥ（登録商標））直接ピア発見信号（LTE Direct Peer-Discovery Signals）でありうる。
【００３０】
[0036]以下の説明は例を提供しており、請求項において述べられている範囲、適用性、または構成の限定ではない。本開示の範囲および趣旨から逸脱することなく論じられている要素の機能および配置に変更がなされうる。様々な実施形態は、様々な手順またはコンポーネントを適宜省略、置換、または追加することができる。例えば、説明されている方法は、説明されているものとは異なる順序で実行され得、様々なステップが追加、省略、あるいは組み合わせられうる。また、ある特定の実施形態に関して説明されている特徴は、他の実施形態で組み合されうる。
【００３１】
[0037]まず図１を参照すると、図は、ワイヤレス通信システム１００の例を例示している。ワイヤレス通信システム１００は、基地局（またはセル）１０５、通信デバイス１１５、およびコアネットワーク１３０を含む。基地局１０５は、様々な実施形態において、コアネットワーク１３０または基地局１０５の一部でありうる、基地局コントローラ（図示せず）の制御下で通信デバイス１１５と通信することができる。基地局１０５は、バックホールリンク１３２を通じたコアネットワーク１３０を用いて制御情報および／またはユーザデータを通信しうる。実施形態において、基地局１０５は、直接的にまたは間接的に、有線またはワイヤレス通信リンクでありうるバックホールリンク１３４上で互いに通信することができる。システム１００は、マルチプルキャリア（異なる周波数から成る波形信号）上の動作をサポートすることができる。マルチキャリア送信機は、マルチプルキャリア上で同時に、変調された信号を送信することができる。例えば、各通信リンク１２５は、上記で説明された様々な無線技術にしたがって変調されたマルチキャリア信号でありうる。各変調された信号は、異なるキャリア上で送られ得、制御情報（例えば、基準信号（reference signal）、制御チャネル、等）、オーバヘッド情報、データ、等を搬送することができる。
【００３２】
[0038]基地局１０５は、１つまたは複数の基地局アンテナを介してデバイス１１５とワイヤレスに通信することができる。基地局１０５サイトの各々は、それぞれのカバレッジエリア１１０のための通信カバレッジを提供することができる。いくつかの実施形態では、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適した専門用語として称されうる。基地局のためのカバレッジエリア１１０は、カバレッジエリアの一部分のみを構成するセクタ（図示せず）に分けられうる。システム１００は、異なるタイプの基地局１０５（例えば、マクロ、マイクロ、および／またはピコ基地局）を含むことができる。異なる技術のために重複するカバレッジエリアが存在しうる。
【００３３】
[0039]実施形態において、システム１００は、ＬＴＥ／ＬＴＥ−Ａネットワークである。ＬＴＥ／ＬＴＥ−Ａネットワークにおいて、発展型ノードＢ（ｅＮＢ）およびユーザ機器（ＵＥ）という用語は、一般的に、基地局１０５およびデバイス１１５をそれぞれ説明するために使用されうる。システム１００は、異なるタイプのｅＮＢが様々な地理的領域にカバレッジを提供する異種ＬＴＥ／ＬＴＥ−Ａネットワークでありうる。例えば、各ｅＮＢ１０５は、マクロセル、ピコセル、フェムトセル、および／または他のタイプのセルに通信カバレッジを提供することができる。マクロセルは一般的に、相対的に広い地理的エリア（例えば、半径数キロメートル）をカバーし、ネットワークプロバイダにサービス加入しているＵＥによる制限のないアクセスを可能にしうる。ピコセルは一般的に、相対的により狭い地理的エリアをカバーし、ネットワークプロバイダにサービス加入しているＵＥによる制限のないアクセスを可能にしうる。フェムトセルもまた、一般的に、相対的に狭い地理的エリア（例えば、家）をカバーし、制限のないアクセスに加え、フェムトセルとのアソシエーションを有するＵＥ（例えば、クローズド加入者グループ（ＣＳＧ）中のＵＥ、家の中のユーザのためのＵＥ、等）による制限されたアクセスも提供することができる。マクロセルのためのｅＮＢは、マクロｅＮＢと称されうる。ピコセルのためのｅＮＢは、ピコｅＮＢと称されうる。また、フェムトセルのためのｅＮＢは、フェムトｅＮＢまたはホームｅＮＢと称されうる。ｅＮＢは、１つまたはマルチプルの（例えば、２つ、３つ、４つ、等の）セルをサポートすることができる。
【００３４】
[0040]コアネットワーク１３０は、バックホールリンク１３２（例えば、Ｓ１等）を介してｅＮＢ１０５と通信することができる。ｅＮＢ１０５はまた、例えば、バックホールリンク１３４（例えば、Ｘ２等）および／またはバックホールリンク１３２を介して（例えば、コアネットワーク１３０を通じて）、直接的にまたは間接的に、互いに通信することもできる。ワイヤレス通信システム１００は、同期または非同期動作をサポートすることができる。同期動作では、ｅＮＢが同様のフレームタイミングを有し得、異なるｅＮＢからの送信は時間的に近似に整列されうる。非同期動作では、ｅＮＢは、異なるフレームタイミングを有し得、異なるｅＮＢからの送信は、時間的に整列されないことがある。本明細書で説明されている技法は、同期または非同期動作のいずれかに使用されうる。
【００３５】
[0041]ＵＥ１１５はワイヤレス通信システム１００全体にわたって分散され、各ＵＥは固定または移動式でありうる。ＵＥ１１５は、当業者によって、モバイルデバイス、モバイル局、加入者局、モバイルユニット、加入者ユニット、ワイヤレスユニット、遠隔ユニット、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、中継器、または何らかの他の適した専門用語としても称されうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、または同様のものでありうる。ＵＥは、マクロｅＮＢ、ピコｅＮＢ、フェムトｅＮＢ、中継器、等と通信することが可能でありうる。一実施形態では、基地局１０５のカバレッジエリア内のＵＥ１１５は、基地局１０５のカバレッジエリアの外にあるＵＥ１１５−ａに対する中継器としての役割をしうる。カバレッジ内ＵＥ１１５は、基地局１０５からカバレッジ外ＵＥ１１５−ａに通信を中継（または再送信）することができる。同様に、カバレッジ内ＵＥ１１５は、カバレッジ外ＵＥ１１５−ａから基地局１０５に通信を中継することができる。
【００３６】
[0042]ワイヤレス通信システム１００で図示されている通信リンク１２５は、モバイルデバイス１１５から基地局１０５へのアップリンク（ＵＬ）送信、および／または基地局１０５からモバイルデバイス１１５へのダウンリンク（ＤＬ）送信を含むことができる。ダウンリンク送信が順方向リンク送信とも呼ばれうる一方で、アップリンク送信は、逆方向リンク送信とも呼ばれうる。
【００３７】
[0043]図２は、現在のシステムおよび方法が実装されうる環境２００の例のブロック図である。一構成では、基地局１０５−ａは、基地局１０５−ａのカバレッジエリア１１０−ａ内に入っている１つまたは複数のデバイスと通信することができる。一例では、カバレッジ内モバイルデバイス１１５−ｂ−１は、基地局１０５−ａから／に通信を受信／送信することができる。１つまたは複数のモバイルデバイス１１５−ｂ−２、１１５−ｂ−３、１１５−ｂ−４、１１５−ｂ−５は、基地局１０５−ａのカバレッジエリア１１０−ａの外にありうる。基地局１０５−ａおよびモバイルデバイス１１５−ｂは、図１を参照して説明された基地局１０５およびモバイルデバイス１１５の例でありうる。
【００３８】
[0044]一実施形態では、カバレッジ内モバイルデバイス１１５−ｂ−１は、ピア発見信号２０５をブロードキャスト、マルチキャスト、またはユニキャストすることができる。信号２０５は、１つまたは複数のカバレッジ外ＵＥに送られうる。ピア発見信号２０５は、ロングタームエボリューション（ＬＴＥ）直接ピア発見信号でありうる。一構成では、信号２０５は、カバレッジ内モバイルデバイス１１５−ｂ−１の識別子を含むことができる。例えば、識別子は、カバレッジ内モバイルデバイス１１５−ｂ−１の媒体アクセス制御（ＭＡＣ）アドレスでありうる。加えて、ピア発見信号２０５は、モバイルデバイス１１５−ｂ−１の中継ステータスを含むことができる。中継ステータスは、カバレッジ内モバイルデバイス１１５−ｂ−１が、１つまたは複数のカバレッジ外モバイルデバイス１１５に対して中継サービスを提供する能力を有するかどうかを示すことができる。
【００３９】
[0045]一例では、カバレッジ外モバイルデバイスは、１つまたは複数のカバレッジ内モバイルデバイスの各々が中継デバイスとして機能する能力を有することを示すピア発見信号を受信することができる。カバレッジ外モバイルデバイスはその後、中継サービスを提供するためのカバレッジ内モバイルデバイスのうちの１つを選択することができる。どのカバレッジ内モバイルデバイスを選択すべきかに関する決定は、各カバレッジ内モバイルデバイスから受信されるピア発見信号の信号強度、カバレッジ内モバイルデバイスの識別子、および／または様々な他の要因（例えば、（バッテリで動作している場合）各カバレッジ内モバイルデバイスの残りのバッテリ寿命、（中継デバイスが、それらがどのサービスまたはアプリケーションに対して中継サービスを提供することができるかまたは提供することを望むかに関して精選する場合）各カバレッジ内モバイルデバイスによってサポートされるサービス（複数を含む）のタイプ（複数を含む）、および／または各カバレッジ内モバイルデバイスが中継サービスを提供することを望む無線技術（複数を含む））に基づきうる。これらの要因のいくつかまたはすべてが、ピア発見信号から示されるか、または導出されうる。要因のいくつかはさらに、または代わりとして、カバレッジ外モバイルデバイスが中継ステータスおよび識別子情報を受信したカバレッジ内モバイルデバイス（複数を含む）に問い合わせることによって取得されうる。
【００４０】
[0046]一構成では、カバレッジ外モバイルデバイスは、１つまたは複数のカバレッジ内モバイルデバイス１１５−ｂ−１にピア発見信号２０５を送信することができる。ピア発見信号は、カバレッジ外モバイルデバイスが、カバレッジ外であるか、または中継サービスを要求していることを示すことができる。信号は、カバレッジ外モバイルデバイスの識別子を含むことができる。一構成では、モバイルデバイスは、それが基地局１０５−ａのカバレッジエリア１１０−ａの外になろうとしていることを感知するとき、ピア発見信号２０５をブロードキャストすることができる。別の実施形態では、モバイルデバイスは、それが既にカバレッジエリア１１０−ａの外にあることに次いで信号２０５をブロードキャストすることができる。
【００４１】
[0047]一例では、カバレッジ外モバイルデバイス１１５−ｂ−２、１１５−ｂ−３は、互いに通信することができる。例えば、モバイルデバイス１１５−ｂ−２、１１５−ｂ−３は、直接ピアツーピア接続を確立することができる。カバレッジ内モバイルデバイス１１５−ｂ−１はまた、１つまたは複数のカバレッジ外モバイルデバイスに対して中継サービスを提供することができる。一構成では、第１のカバレッジ外モバイルデバイス１１５−ｂ−４は、第２のカバレッジ外モバイルデバイス１１５−ｂ−５のための中継デバイスとしての役割をしうる。第１のカバレッジ外モバイルデバイス１１５−ｂ−４は、それ（１１５−ｂ−４）が中継サービスを提供する能力を有することを第２のカバレッジ外モバイルデバイス１１５−ｂ−５に知らせるために、ピア発見信号２０５を送信することができる。別の例として、第２のカバレッジ外モバイルデバイス１１５−ｂ−５は、第１のカバレッジ外モバイルデバイス１１５−ｂ−４から中継サービスを要求する信号２０５を送信することができる。結果として、カバレッジ内モバイルデバイス１１５−ｂ−１は、基地局１０５−５に／から第１のカバレッジ外ＵＥ１１５−ｂ−４から／に通信を中継することができる。第１のカバレッジ外モバイルデバイス１１５−ｂ−４は、第２のカバレッジ外モバイルデバイス１１５−ｂ−５から／に通信の少なくとも一部を中継することができる。
【００４２】
[0048]図３Ａは、カバレッジ内モバイルデバイス１１５−ｃ−１とカバレッジ外モバイルデバイス１１５−ｃ−２との間の通信の実施形態を例示しているメッセージフローチャート３００である。モバイルデバイス１１５−ｃは、図１および／または図２で説明されたモバイルデバイスの例でありうる。
【００４３】
[0049]一構成では、カバレッジ内モバイルデバイス１１５−ｃ−１は、カバレッジ外モバイルデバイス１１５−ｃ−２に中継ステータスおよび識別子情報３０５を送信することができる。中継ステータスは、カバレッジ内モバイルデバイス１１５−ｃ−１が中継サービスを提供する能力を有するかどうかを示すことができる。一実施形態では、中継ステータスは、カバレッジ内モバイルデバイス１１５−ｃ−１が中継サービスを提供するＬＴＥ−直接能力（LTE-Direct capabilities）を有するかどうかを示すことができる。識別子は、カバレッジ内モバイルデバイス１１５−ｃ−１を識別する役割をする情報でありうる。中継ステータスおよび識別子は、ＬＴＥ−直接ピア発見チャネル（LTE-Direct Peer Discovery Channel）のようなピア発見チャネルを介して送信されうる。
【００４４】
[0050]カバレッジ外モバイルデバイス１１５−ｃ−２は、カバレッジ内モバイルデバイスを識別するために識別子を分析することができる３１０。カバレッジ外モバイルデバイス１１５−ｃ−２が、異なるカバレッジ内モバイルデバイスから、それらが中継サービスを提供するのに利用可能であることを示す１つ以上の識別子を受信する場合、カバレッジ外モバイルデバイス１１５−ｃ−２は、中継サービスを提供するためのカバレッジ内モバイルデバイスのうちの１つを選択することができる。いくつかのケースでは、その選択は、カバレッジ内モバイルデバイスの識別子、各カバレッジ内モバイルデバイスの残りのバッテリ寿命、各カバレッジ内モバイルデバイスによってサポートされるサービス（複数を含む）のタイプ（複数を含む）、および／または各カバレッジ内モバイルデバイスが中継サービスを提供することを望む無線技術（複数を含む）、のような要因に基づきうる。これらの要因のいくつかまたはすべてが、ピア発見信号から示されるか、または導出されうる。要因のいくつかはさらに、または代わりとして、カバレッジ外モバイルデバイス１１５−ｃ−２が中継ステータスおよび識別子情報を受信したカバレッジ内モバイルデバイス（複数を含む）に問い合わせることによって取得されうる。
【００４５】
[0051]カバレッジ外モバイルデバイス１１５−ｃ−２は、カバレッジ内モバイルデバイス１１５−ｃ−１に中継要求３１５を送信することができる。中継要求３１５は、いくつかのケースでは、ピア発見チャネルを介して送信されうる。要求３１５を受信すると、カバレッジ内モバイルデバイス１１５−ｃ−１は、この特定のカバレッジ外モバイルデバイス１１５−ｃ−２に対して中継サービスを提供すべきかどうかを決定することができる。この決定は、カバレッジ内モバイルデバイス１１５−ｃ−１の利用可能なバッテリ電力、中継要求の信号の強度、カバレッジ内モバイルデバイス１１５−ｃ−１が別のカバレッジ外モバイルデバイスに対して中継サービスを既に提供しているかどうか、カバレッジ外モバイルデバイス１１５−ｃ−２によって要求される中継サービスのタイプ、等に基づきうる。カバレッジ内モバイルデバイス１１５−ｃ−１が中継サービスを提供すると決定した場合、直接ピアツーピア通信３２５が、カバレッジ内モバイルデバイス１１５−ｃ−１とカバレッジ外モバイルデバイス１１５−ｃ−２との間で確立されうる。
【００４６】
[0052]カバレッジ内モバイルデバイス１１５−ｃ−１は、カバレッジ外モバイルデバイス１１５−ｃ−２から直接受信される通信を基地局に再送信することができる。カバレッジ内モバイルデバイス１１５−ｃ−１はまた、基地局から受信される通信をカバレッジ外モバイルデバイス１１５−ｃ−２に中継することができる。一構成では、カバレッジ内モバイルデバイス１１５−ｃ−１は、カバレッジ外モバイルデバイス１１５−ｃ−２から直接受信される通信を他のカバレッジ外モバイルデバイスに転送することができる。これらの他のカバレッジ外モバイルデバイスは依然として、通信を受信するためにカバレッジ内モバイルデバイス１１５−ｃ−１の範囲内にありうる。カバレッジ内モバイルデバイス１１５−ｃ−１はまた、カバレッジ外モバイルデバイス１１５−ｃ−２から受信された通信を他のカバレッジ内モバイルデバイスに再送信することもできる。
【００４７】
[0053]図３Ｂは、カバレッジ内モバイルデバイス１１５−ｃ−３とカバレッジ外モバイルデバイス１１５−ｃ−４との間の通信の別の実施形態を例示しているメッセージフローチャート３５０である。モバイルデバイス１１５−ｃは、図１および／または図２で説明されたモバイルデバイスの例でありうる。
【００４８】
[0054]一構成では、カバレッジ外モバイルデバイス１１５−ｃ−３は、カバレッジ内モバイルデバイス１１５−ｃ−３にカバレッジ外ステータスインジケータ３５５を送信することができる。カバレッジ外ステータスインジケータ３５５は、基地局への中継サービスを求めるカバレッジ外モバイルデバイス１１５−ｃ−４のニーズを示すことができ、いくつかのケースでは、カバレッジ外モバイルデバイス１１５−ｃ−４によって必要とされる中継サービスのタイプまたはサービスのタイプを示すことができる。カバレッジ外ステータスインジケータ３５５は、ＬＴＥ−直接ピア発見チャネルのようなピア発見チャネルを介して送信されうる。
【００４９】
[0055]カバレッジ外ステータスインジケータ３５５を受信すると、カバレッジ内モバイルデバイス１１５−ｃ−３は、ブロック３６０において、中継デバイスとして機能するその能力を決定することができる。この決定は、カバレッジ内モバイルデバイス１１５−ｃ−３の利用可能なバッテリ電力、中継要求の信号の強度、カバレッジ内モバイルデバイス１１５−ｃ−３が別のカバレッジ外モバイルデバイスに対して中継サービスを既に提供しているかどうか、カバレッジ外モバイルデバイス１１５−ｃ−４によって要求される中継サービスのタイプ、等に基づきうる。カバレッジ内モバイルデバイス１１５−ｃ−３が中継デバイスとして機能する能力を有するとき、カバレッジ内デバイス１１５−ｃ−３は、カバレッジ外モバイルデバイス１１５−ｃ−４に対して中継サービスを提供するその能力を示す信号３６５を送信することができる。中継能力信号３６５はまた、ピア発見チャネルを介して送信されうる。
【００５０】
[0056]ブロック３７０において、カバレッジ外モバイルデバイス１１５−ｃ−４は、中継デバイスとしてカバレッジ内モバイルデバイス１１５−ｃ−３を使用すべきかどうかを決定することができる。カバレッジ外モバイルデバイス１１５−ｃ−４が、１つ以上のカバレッジ内モバイルデバイスが中継サービスを提供する能力を有することを示す信号を受信する場合、カバレッジ外モバイルデバイス１１５−ｃ−４は、中継サービスを提供するためのカバレッジ内モバイルデバイスのうちの１つを選択することができる。いくつかのケースでは、その選択は、カバレッジ内モバイルデバイスの識別子、各カバレッジ内モバイルデバイスの残りのバッテリ寿命、各カバレッジ内モバイルデバイスによってサポートされるサービス（複数を含む）のタイプ（複数を含む）、および／または各カバレッジ内モバイルデバイスが中継サービスを提供することを望む無線技術（複数を含む）、のような要因に基づきうる。これらの要因のいくつかまたはすべてが、信号３６５のようなピア発見信号から示されるか、または導出されうる。要因のいくつかはさらに、または代わりとして、カバレッジ外モバイルデバイス１１５−ｃ−４が中継能力信号を受信したカバレッジ内モバイルデバイス（複数を含む）に問い合わせることによって取得されうる。
【００５１】
[0057]カバレッジ外モバイルデバイス１１５−ｃ−４がカバレッジ内モバイルデバイス１１５−ｃ−３から中継サービスを取得することを決めた場合、直接ピアツーピア通信３７５が、カバレッジ内モバイルデバイス１１５−ｃ−３とカバレッジ外モバイルデバイス１１５−ｃ−４との間で確立されうる。
【００５２】
[0058]カバレッジ内モバイルデバイス１１５−ｃ−３は、カバレッジ外モバイルデバイス１１５−ｃ−４から直接受信される通信を基地局に再送信することができる。カバレッジ内モバイルデバイス１１５−ｃ−３はまた、基地局から受信される通信をカバレッジ外モバイルデバイス１１５−ｃ−４に中継することもできる。
【００５３】
[0059]図４は、モバイルデバイス１１５−ｄのブロック図４００の例である。これは、図１、図２、図３Ａ、および／または図３Ｂのモバイルデバイス１１５でありうる。モバイルデバイス１１５−ｄは、パーソナルコンピュータ（例えば、ラップトップコンピュータ、ネットブックコンピュータ、タブレットコンピュータ等）、セルラ電話、ＰＤＡ、デジタルビデオレコーダ（ＤＶＲ）、インターネット電化製品、ゲーム機、電子書籍等のような、様々な構成のどれも有することができる。モバイルデバイス１１５−ｄは、移動動作を容易にするために、小型バッテリのような内部電源（図示せず）を有することができる。
【００５４】
[0060]モバイルデバイス１１５−ｄは、アンテナ４０５、トランシーバモジュール４１０、メモリ４１５、およびプロセッサモジュール４２５を含み得、これらは各々、（例えば、１つまたは複数のバスを介して）互いに、直接的にまたは間接的に、通信状態にありうる。トランシーバモジュール４１０は、上記で説明されたように、アンテナ４０５および／または１つまたは複数の有線またはワイヤレスリンクを介して、１つまたは複数のネットワークと双方向に通信するように構成されうる。例えば、トランシーバモジュール４１０は、図１、図２、および／または図３の基地局１０５のうちの１つまたは複数と双方向に通信するように構成されうる。トランシーバモジュール４１０はまた、１つまたは複数の他のモバイルデバイス１１５のための中継器として、または１つまたは複数の他のモバイルデバイス１１５からの中継するサービスを必要とするデバイスとして、のどちらかで、１つまたは複数の他のモバイルデバイス１１５と通信するようにも構成されうる。トランシーバモジュール４１０は、パケットを変調してその変調されたパケットを送信のためにアンテナ４０５に提供するように、およびアンテナ４０５から受信されたパケットを復調するように構成されたモデムを含むことができる。モバイルデバイス１１５−ｄは単一のアンテナを含むことができる一方で、モバイルデバイス１１５−ｄは通常、複数のリンクのために複数のアンテナ４０５を含むことになる。
【００５５】
[0061]メモリ４１５は、ランダムアクセスメモリ（ＲＡＭ）および読取専用メモリ（ＲＯＭ）を含むことができる。メモリ４１５は、実行されるとき、プロセッサモジュール４２５に、様々な機能（例えば、呼処理、データベース管理、メッセージルーティング、等）を実行させるように構成される命令を含む、コンピュータ可読な、コンピュータ実行可能なソフトウェアコード４２０を記憶することができる。代わりとして、ソフトウェアコード４２０は、プロセッサモジュール４２５によって直接実行可能ではないことがあるが、（例えば、コンパイルおよび実行されるとき）、モバイルデバイス１１５−ｄに、本明細書で説明されている様々な機能を実行させるように構成されうる。
【００５６】
[0062]プロセッサモジュール４２５は、例えば、中央処理ユニット（ＣＰＵ）、マイクロコントローラ、特定用途向け集積回路（ＡＳＩＣ）、等のインテリジェントハードウェアデバイスを含むことができる。プロセッサモジュール４２５は、マイクロフォンを介してオーディオを受信し、そのオーディオを受信されたオーディオを表すパケット（例えば、長さが３０ｍｓ）にコンバートし、トランシーバモジュール４１０にオーディオパケットを提供し、ユーザが話しているかどうかのインジケーションを提供するように構成されたスピーチ符号化器（図示せず）を含むことができる。代わりとして、符号化器は、パケット自体のプロビジョンまたは保留（withholding）／抑制が、ユーザが話しているどうかのインジケーションを提供するので、トランシーバモジュール４１０にパケットを提供するだけでありうる。
【００５７】
[0063]図４のアーキテクチャにしたがうと、モバイルデバイス１１５−ｄは、通信管理モジュール４３０、状態モジュール４３５、およびピア発見モジュール４４０をさらに含むことができる。通信管理モジュール４３０は、基地局１０５および／または他のモバイルデバイス１１５との通信を確立および管理することができる。例として、通信管理モジュール４３０は、バスを介してモバイルデバイス１１５−ｄの他のコンポーネントのいくつかまたはすべてと通信状態にあるモバイルデバイス１１５−ｄのコンポーネントでありうる。代わりとして、通信管理モジュール４３０の機能は、トランシーバモジュール４１０のコンポーネントとして、コンピュータプログラム製品として、および／またはプロセッサモジュール４２５の１つまたは複数のコントローラ要素として実行されうる。
【００５８】
[0064]通信管理モジュール４３０は、いくつかのケースでは、直接リンク管理モジュール４６０を含むことができる。直接リンク管理モジュール４６０は、いくつかのケースでは、中継サービスを必要とするモバイルデバイス１１５（すなわち、少なくとも１つの他のモバイルデバイス１１５）との直接リンク（例えば、ピアツーピアリンク）の確立を容易にするために使用されうる。したがって、モバイルデバイス１１５−ｄは、基地局１０５から中継サービスを必要とするモバイルデバイス１１５に、および／または中継サービスを必要とするモバイルデバイス１１５から基地局１０５に、少なくとも１つの送信（例えば、データ送信）を受信し、再送信することができる。同様に、モバイルデバイス１１５−ｄは、サービスを必要とするモバイルデバイス１１５から、そのモバイルデバイス１１５−ｄに対して中継サービスを提供するモバイルデバイス１１５に、またはその逆の形で、少なくとも１つの送信（例えば、データ送信）を受信し、再送信することができる。いくつかの実施形態では、再送信（複数を含む）は、図４を参照して説明されているプロセッサモジュール４２５のような、プロセッサモジュールを使用して行われうる。
【００５９】
[0065]状態モジュール４３５は、現在のデバイス状態（例えば、コンテキスト、認証、基地局アソシエーション、他の接続問題（other connectivity issue））を反映および制御することができる。
【００６０】
[0066]ピア発見モジュール４４０は、他のモバイルデバイス１１５に対してモバイルデバイス１１５−ｄを識別することができる。ピア発見モジュール４４０はまた、１）基地局１０５のカバレッジエリアの外にあるモバイルデバイス１１５であって、そのモバイルデバイス１１５は中継デバイスとしてそのモバイルデバイス１１５を使用することができる、および／または２）モバイルデバイス１１５−ｄが基地局１０５のカバレッジエリアの外にあるとき、モバイルデバイス１１５−ｄに中継するサービスを提供する能力を有しうるカバレッジ内モバイルデバイス１１５、のような他のモバイルデバイス１１５を識別することができる。
【００６１】
[0067]ピア発見モジュール４４０は、ステータスモジュール４４５、マルチメディアブロードキャストマルチキャストサービス（ＭＢＭＳ）サービス通知モジュール４５０、および／または感知モジュール４５５を含むことができる。ステータスモジュール４４５は、モバイルデバイス１１５−ｄが中継デバイスとして機能し、中継サービスを提供する能力を有するかどうかを決定することができる。ステータスモジュール４４５はまた、いつモバイルデバイス１１５−ｄが中継ステータスに（または、中継ステータスから）移行するかを決定することもできる。例えば、ステータスモジュール４４５は、モバイルデバイス１１５−ｄの利用可能な電力または帯域幅、モバイルデバイス１１５ーｄがＬＴＥ−直接能力を有するかどうか、等を分析することができる。それが中継サービスを提供する能力を有すると決定すると、ステータスモジュール４４５は、中継ステータスにモバイルデバイス１１５−ｄのステータスを移行することができる。モバイルデバイス１１５−ｄはその後、中継デバイスとして機能するモバイルデバイス１１５−ｄの能力を示すピア発見信号２０５をブロードキャストすることができる。カバレッジ外モバイルデバイス１１５は、ブロードキャスト信号を受信し、中継デバイスとしてモバイルデバイス１１５−ｄを使用すべきかどうかを決定することができる。
【００６２】
[0068]一構成では、ＭＢＭＳサービス通知モジュール４５０は、少なくとも１つのＭＢＭＳベアラサービスために受信されたサービス通知情報を分析することができる。モジュール４５０は、サービス通知情報の少なくともサブセットを識別することができる。ＭＢＭＳサービス通知情報の識別されたサブセットは、中継ステータスを示すピア発見信号と共に、１つまたは複数のカバレッジ外モバイルデバイスにブロードキャストされうる。モバイルデバイス１１５−ｄは、１つまたは複数のカバレッジ外モバイルデバイスにＭＢＭＳのコンテンツを中継することができる。
【００６３】
[0069]感知モジュール４５５は、いつモバイルデバイス１１５−ｄが基地局１０５の範囲の外になろうとしているかを感知することができる。感知モジュール４５５はまた、いつモバイルデバイス１１５−ｄが既に基地局１０５の範囲の外にあるかを決定することもできる。モバイルデバイス１１５−ｄが、基地局１０５のカバレッジエリアから移行することになろうとしている（またはカバレッジエリアの外に既に移行した）と感知すると、モバイルデバイス１１５−ｄは、中継サービスを要求するためにピア発見信号２０５をブロードキャストすることができる。基地局１０５のカバレッジエリア中に依然としてある１つまたは複数のモバイルデバイスは、ブロードキャストを受信し、中継サービスを提供すべきかどうかを決定することができる。
【００６４】
[0070]モバイルデバイス１１５−ｄのコンポーネントは、ハードウェアにおいて適用可能な機能のいくつかまたはすべてを実行するように適合された１つまたは複数のＡＳＩＣで、個々にまたは集合的に、実装されうる。代わりとして機能は、１つまたは複数の集積回路上で、１つまたは複数の他の処理ユニット（またはコア）によって実行されうる。他の実施形態では、他のタイプの集積回路（例えば、構造化／プラットフォームＡＳＩＣ、フィールドプログラマブルゲートアレイ（ＦＰＧＡ）、および他の半カスタムＩＣ）が使用され得、これらは、当該技術分野において周知のあらゆる方法でプログラムされうる。各ユニットの機能はまた、メモリにおいて具現化され、１つまたは複数の汎用またはアプリケーション特有のプロセッサによって実行されるようにフォーマットされた命令で、全体的にまたは部分的に、実行されうる。言及されたモジュールの各々は、モバイルデバイス１１５−ｄの動作に関連する１つまたは複数の機能を実行するための手段で有りうる。
【００６５】
[0071]図５は、ピア発見モジュール４４０−ａの例のブロック図５００である。いくつかの実施形態では、ピア発見モジュール４４０−ａは、図４を参照して説明されたピア発見モジュール４４０の１つまたは複数の態様の例でありうる。ピア発見モジュール４４０−ａは、ステータスモジュール４４５−ａ、感知モジュール４５５−ａ、ピア発見信号生成モジュール５１５、および／または中継サービス獲得モジュール５２０を含むことができる。これらのコンポーネントの各々は、互いに通信状態にありうる。いくつかの実施形態では、ステータスモジュール４５５−ａおよび／または感知モジュール４５５−ａは、図４を参照して説明されたそれぞれのステータスモジュール４４５および／または感知モジュール４５５の１つまたは複数の態様の例でありうる。
【００６６】
[0072]ピア発見モジュール４４０−ａのコンポーネントは、ハードウェアにおいて適用可能な機能のいくつかまたはすべてを実行するように適合された１つまたは複数のＡＳＩＣで、個々にまたは集合的に、実装されうる。代わりとして機能は、１つまたは複数の集積回路上で、１つまたは複数の他の処理ユニット（またはコア）によって実行されうる。他の実施形態では、他のタイプの集積回路（例えば、構造化／プラットフォームＡＳＩＣ、ＦＰＧＡ、および他の半カスタムＩＣ）が使用され得、これらは、当該技術分野において周知のあらゆる方法でプログラムされうる。各ユニットの機能はまた、メモリにおいて具現化され、１つまたは複数の汎用またはアプリケーション特有のプロセッサによって実行されるようにフォーマットされた命令で、全体的にまたは部分的に、実行されうる。
【００６７】
[0073]ステータスモジュール４４５−ａは、モバイルデバイス１１５が中継デバイスとして機能し、中継サービスを提供する能力を有するかどうかを決定することができる。ステータスモジュール４４５−ａはまた、いつモバイルデバイス１１５が中継ステータスに（または中継ステータスから）移行するかを決定することもできる（例えば、ステータスモジュール４４５−ａは、モバイルデバイス１１５を中継ステータスに（中継ステータスから）移行させることができる）。いくつかのケースでは、ステータスモジュール４４５−ａは、モバイルデバイス１１５の利用可能な動作電力がしきい値を超えるかどうかを決定するための電力分析モジュール５０５を含むことができる。いくつかのケースでは、ステータスモジュール４４５−ａは、モバイルデバイス１１５の利用可能な動作電力が動作電力しきい値を超えると決定すると、中継ステータスにモバイルデバイス１１５を移行することができる。そうでなければ、モバイルデバイス１１５は、非中継ステータスに維持されうる。この方法で、電力分析モジュール５０５は、例えば、モバイルデバイス１１５が中継サービスと同様にそれ自身の機能を提供するのに十分な動作電力を有することを確実にすることができる。
【００６８】
[0074]ステータスモジュール４４５−ａはまた、モバイルデバイス１１５の利用可能な送信帯域幅がしきい値を超えるかどうかを決定するための帯域幅分析モジュール５１０を含むこともできる。いくつかのケースでは、ステータスモジュール４４５−ａは、モバイルデバイス１１５の利用可能な帯域幅が利用可能な帯域幅しきい値を超えると決定すると、中継ステータスにモバイルデバイス１１５を移行することができる。そうでなければ、モバイルデバイス１１５は、非中継ステータスに維持されうる。この方法で、帯域幅分析モジュール５１０は、例えば、モバイルデバイス１１５が中継サービスと同様にそれ自身の機能をサービス提供するのに十分な帯域幅を有するかどうかを決定することができる。
【００６９】
[0075]ステータスモジュール４４５−ａは、いくつかのケースでは、中継サービスを提供するその能力を決定するとき、追加のまたは代わりの要因を分析することができる。例えば、ステータスモジュール４４５−ａは、モバイルデバイス１１５がＬＴＥ−直接能力を有するかどうかを決定することができる。
【００７０】
[0076]いくつかの実施形態では、ステータスモジュール４４５−ａは、周期的に、またはトリガリングイベントの際に、中継ステータスにモバイルデバイス１１５を移行すべきかどうかを決定することができる。いくつかのケースでは、トリガリングイベントが、モバイルデバイス１１５による、別のモバイルデバイス１１５によってブロードキャストされるカバレッジ外ステータスインジケータの受信でありうる。そのようなカバレッジ外ステータスインジケータを受信すると、モバイルデバイス１１５は、それが中継ステータスに移行し、カバレッジ外ステータスインジケータをブロードキャストしたモバイルデバイスに対して中継サービスを提供することが可能であるかどうかを決定することができる。そのようなケースでは、ステータスモジュール４４５−ａは、中継ステータスに移行する前に追加の決定を行うことができる。例えば、ステータスモジュールは、カバレッジ外モバイルデバイス１１５によって要求されるサービスが、モバイルデバイス１１５が通信状態にある基地局１０５によって提供されるかどうかを決定することができる。
【００７１】
[0077]ステータスモジュール４４５−ａが中継ステータスにモバイルデバイス１１５を移行するケースでは、ピア発見信号モジュール５１５は、中継ステータス（すなわち、中継デバイスとして機能するモバイルデバイス１１５の能力）を示すピア発見信号を送信することができる。ピア発見信号は、１つまたは複数の特定のモバイルデバイス１１５に送信されうるか、またはすべてのモバイルデバイス１１５にブロードキャストされうる。カバレッジ外モバイルデバイス１１５は、ピア発見信号を受信し、中継デバイスとしてモバイルデバイス１１５−ｄを使用すべきかどうかを決定することができる。
【００７２】
[0078]感知モジュール４５５−ａは、いつモバイルデバイス１１５が基地局１０５の範囲の外になろうとしているかを感知することができる。感知モジュール４５５−ａはまた、いつモバイルデバイス１１５が既に基地局１０５の範囲の外にあるかを決定することもできる。モバイルデバイス１１５が、基地局１０５のカバレッジエリアから移行することになろうとしている（またはカバレッジエリアの外に既に移行した）と感知すると、感知モジュール４５５−ａは、ピア発見信号生成モジュール５１５にピア発見信号においてカバレッジ外ステータスインジケータをブロードキャストさせることができる。基地局１０５のカバレッジエリア中に依然としてある１つまたは複数のモバイルデバイスは、ブロードキャストを受信し、モバイルデバイス１１５に中継サービスを提供すべきかどうかを決定することができる。
【００７３】
[0079]中継サービス獲得モジュール５２０は、ピア発見モジュール４４０−ａが実装されるモバイルデバイス１１５に中継サービスを提供する能力を有する１つまたは複数の他のモバイルデバイス１１５の各々からピア発見信号を受信することができる。中継サービス獲得モジュール５２０はその後、他のモバイルデバイス１１５のどれが、モバイルデバイス１１５に対して中継サービスを提供するために使用されるべきかどうかを直接リンク管理モジュール４６０（図４）に示すことができる。いくつかのケースでは、モジュール５２０は、そのためにピア発見信号が受信される第１のモバイルデバイス１１５を、中継サービスを提供するためのモバイルデバイス１１５として識別することができる。他のケースでは、モジュール５２０は、モバイルデバイスが中継サービスを提供するのに好ましい（acceptabale）かどうかを決定するために１つまたは複数の要因を分析することができる。例えば、モジュール５２０は、候補モバイルデバイス１１５との通信の信号強度がしきい値を超えるかどうかを決定することができる。また他のケースでは、モジュール５２０は、候補モバイルデバイス１１５のうちのどれが、最良に中継サービスを提供することが可能であるかどうかを決定するために、候補モバイルデバイス１１５に対して比較分析を行うことができる。例えば、モジュール５２０は、最良の信号強度を識別するために、候補モバイルデバイス１１５の各々との通信の信号強度を比較することができる。
【００７４】
[0080]図６は、ワイヤレス通信を管理するための方法６００の１つの実施形態を例示しているフローチャートである。明確性のために、方法６００は、図１、図２、図３Ａ、および／または図５を参照して説明されたモバイルデバイス１１５のうちの１つまたは複数の態様を参照して以下で説明される。いくつかの実装では、図４および／または図５を参照して説明されたピア発見モジュール４４０は、以下で説明される機能を実行するために、モバイルデバイス１１５の機能的要素を制御するための１つまたは複数のセットのコードを実行することができる。
【００７５】
[0081]ブロック６０５では、モバイルデバイス１１５は、中継ステータスに移行する決定を行うことができる。中継ステータスは、少なくとも１つの他のモバイルデバイス１１５と基地局１０５との間の中継デバイスとして機能するモバイルデバイス１１５の能力を示すことができる。いくつかのケースでは、モバイルデバイス１１５は基地局１０５のカバレッジエリア中で動作することができ、少なくとも１つの他のモバイルデバイス１１５は基地局１０５のカバレッジエリアの外で動作しうる。いくつかの実施形態では、ブロック６０５で行われる決定は、図４および／または図５を参照して説明されたピア発見モジュール４４０および／またはステータスモジュール４４５を使用して行われうる。
【００７６】
[0082]ブロック６１０では、中継ステータスを示すピア発見信号が送信されうる。いくつかのケースでは、ピア発見信号は、少なくとも１つの他のモバイルデバイスにブロードキャストされうる。他のケースでは、ピア発見信号は、少なくとも１つの他のモバイルデバイスのいずれか１つまたは複数に送信されうる。いくつかの実施形態では、ブロック６１０で行われる送信は、図４および／または図５を参照して説明されたピア発見モジュール４４０、ならびに／あるいは図５を参照して説明されたピア発見信号生成モジュール５１５を使用して行われうる。
【００７７】
[0083]したがって、方法６００は、ワイヤレス通信を管理するために使用されうる。方法６００が単に１つの実装に過ぎず、他の実装が可能であるように、方法６００の動作が再配置または違った形で修正されうることは留意されるべきである。
【００７８】
[0084]図７は、ワイヤレス通信を管理するための方法７００の別の実施形態を例示しているフローチャートである。明確性のために、方法７００は、図１、図２、図３Ａ、および／または図５を参照して説明されたモバイルデバイス１１５のうちの１つまたは複数の態様を参照して以下で説明される。いくつかの実装では、図４および／または図５を参照して説明されたピア発見モジュール４４０は、以下で説明される機能を実行するために、モバイルデバイス１１５の機能的要素を制御するための１つまたは複数のセットのコードを実行することができる。
【００７９】
[0085]ブロック７０５では、モバイルデバイス１１５は、中継ステータスに移行する決定を行うことができる。中継ステータスは、少なくとも１つの他のモバイルデバイス１１５と基地局１０５との間の中継デバイスとして機能するモバイルデバイス１１５の能力を示すことができる。いくつかのケースでは、モバイルデバイス１１５は基地局１０５のカバレッジエリア中で動作することができ、少なくとも１つの他のモバイルデバイス１１５は基地局１０５のカバレッジエリアの外で動作しうる。いくつかの実施形態では、ブロック７０５で行われる決定は、図４および／または図５を参照して説明されたピア発見モジュール４４０および／またはステータスモジュール４４５を使用して行われうる。
【００８０】
[0086]ブロック７１０では、中継ステータスを示すピア発見信号が送信されうる。例えば、ピア発見信号は、少なくとも１つの他のモバイルデバイスにブロードキャストされうる。いくつかの実施形態では、ブロック６１０で行われる送信は、図４および／または図５を参照して説明されたピア発見モジュール４４０、ならびに／あるいは図５を参照して説明されたピア発見信号生成モジュール５１５を使用して行われうる。
【００８１】
[0087]ブロック７１５では、中継するサービスのための要求は、別のモバイルデバイス１１５から（例えば、少なくとも１つの他のモバイルデバイス１１５のうちの１つから）受信されうる。いくつかの実施形態では、要求は、図４および／または図５を参照して説明されたピア発見モジュール４４０を使用して受信されうる。
【００８２】
[0088]ブロック７２０では、直接リンク（例えば、ピアツーピアリンク）は、その他のモバイルデバイス１１５と確立されうる。いくつかの実施形態では、直接リンクは、図４を参照して説明された通信モジュール４３０および／または直接リンク管理モジュール４６０を使用して確立されうる。
【００８３】
[0089]ブロック７２５では、少なくとも１つの送信は、基地局１０５から他のモバイルデバイス１１５に、および／または他のモバイルデバイス１１５から基地局１０５に受信され、再送信されうる。例えば、送信（例えば、データ）は、基地局１０５から受信され、他のモバイルデバイス１１５に再送信されうるか、および／または、送信（例えば、データ）は、他のモバイルデバイス１１５から受信され、基地局１０５に再送信されうる。いくつかの実施形態では、ブロック７２５で行われる再送信（複数を含む）は、図４を参照して説明されたプロセッサモジュール４２５を使用して行われうる。
【００８４】
[0090]方法７００の代わりの実施形態では、カバレッジ外ステータスインジケータが、ブロック７０５の前に他のモバイルデバイス１１５から受信されうる。この実施形態では、モバイルデバイス１１５は、ブロック７０５において、カバレッジ外ステータスインジケータを受信したことに応じて中継ステータスに移行すると決定することができ、ブロック７１５において、他のモバイルデバイス１１５から中継するサービスのための要求を受信しないことがある。いくつかのケースでは、カバレッジ外ステータスインジケータは、他のモバイルデバイス１１５によってブロードキャストされるピア発見メッセージにおいて受信されうる。
【００８５】
[0091]したがって、方法７００は、ワイヤレス通信を管理するために使用されうる。方法７００が単に１つの実装に過ぎず、他の実装が可能であるように、方法７００の動作が再配置または違った形で修正されうることは留意されるべきである。
【００８６】
[0092]図８は、ワイヤレス通信を管理するための方法８００のまた別の実施形態を例示しているフローチャートである。明確性のために、方法８００は、図１、図２、図３Ａ、および／または図５を参照して説明されたモバイルデバイス１１５のうちの１つまたは複数の態様を参照して以下で説明される。いくつかの実装では、図４および／または図５を参照して説明されたピア発見モジュール４４０は、以下で説明される機能を実行するために、モバイルデバイス１１５の機能的要素を制御するための１つまたは複数のセットのコードを実行することができる。
【００８７】
[0093]ブロック８０５では、モバイルデバイス１１５は、少なくとも１つの他のモバイルデバイス１１５に対して中継するサービスを提供するその能力を決定するために、１つまたは複数の要因を分析することができる。例えば、モバイルデバイス１１５は、モバイルデバイス１１５の利用可能な動作電力がしきい値を超えるかどうか、またはモバイルデバイス１１５の利用可能な送信帯域幅がしきい値を超えるかどうかを決定することができる。
【００８８】
[0094]ブロック８１０では、モバイルデバイス１１５が中継ステータスに移行すべきかどうかが決定されうる。例えば、モバイルデバイス１１５は、モバイルデバイスの利用可能な動作電力がその対応するしきい値を超えると決定すると、および／またはモバイルデバイス１１５の利用可能な送信帯域幅がその対応するしきい値を超えると決定すると、中継ステータスに移行すると決定することができる。中継ステータスは、少なくとも１つの他のモバイルデバイス１１５と基地局１０５との間の中継デバイスとして機能するモバイルデバイス１１５の能力を示すことができる。
【００８９】
[0095]モバイルデバイス１１５が中継ステータスに移行しないと決定したとき、それは、ブロック８１５において非中継ステータスに留まりうる。モバイルデバイス１１５が中継ステータスに移行すると決定したとき、それは、ブロック８２０において中継ステータスに移行しうる。
【００９０】
[0096]いくつかの実施形態では、ブロック８０５、８１０、８１５、および／または８２０における動作は、図４および／または図５を参照して説明されたピア発見モジュール４４０および／またはステータスモジュール４４５を使用して実行されうる。
【００９１】
[0097]ブロック８２５では、中継ステータスを示すピア発見信号は、少なくとも１つの他のモバイルデバイスにブロードキャストされうる。いくつかの実施形態では、ブロック８２５で行われる信号ブロードキャストは、図４および／または図５を参照して説明されたピア発見モジュール４４０、ならびに／あるいは図５を参照して説明されたピア発見信号生成モジュール５１５を使用して行われうる。
【００９２】
[0098]ブロック８３０では、中継するサービスのための要求は、別のモバイルデバイス１１５から（例えば、少なくとも１つの他のモバイルデバイス１１５のうちの１つから）受信されうる。いくつかのケースでは、モバイルデバイス１１５は基地局１０５のカバレッジエリア中で動作することができ、他のモバイルデバイス１１５は基地局１０５のカバレッジエリアの外で動作しうる。いくつかの実施形態では、要求は、図４および／または図５を参照して説明されたピア発見モジュール４４０を使用して受信されうる。
【００９３】
[0099]ブロック８３５では、直接リンク（例えば、ピアツーピアリンク）は、その他のモバイルデバイス１１５と確立されうる。いくつかの実施形態では、直接リンクは、図４および／または図５を参照して説明された通信管理モジュール４３０および／または直接リンク管理モジュール４６０を使用して確立されうる。
【００９４】
[0100]したがって、方法８００は、ワイヤレス通信を管理するために使用されうる。方法８００が単に１つの実装に過ぎず、他の実装が可能であるように、方法８００の動作が再配置または違った形で修正されうることは留意されるべきである。
【００９５】
[0101]図９は、ワイヤレス通信を管理するための方法９００のまた別の実施形態を例示しているフローチャートである。明確性のために、方法９００は、図１、図２、図３Ａ、および／または図５を参照して説明されたモバイルデバイス１１５のうちの１つまたは複数の態様を参照して以下で説明される。いくつかの実装では、図４および／または図５を参照して説明されたピア発見モジュール４４０は、以下で説明される機能を実行するために、モバイルデバイス１１５の機能的要素を制御するための１つまたは複数のセットのコードを実行することができる。
【００９６】
[0102]ブロック９０５では、モバイルデバイス１１５は、別のモバイルデバイス１１５からカバレッジ外ステータスインジケータを受信することができる。モバイルデバイス１１５はその後、ブロック９０５においてカバレッジ外ステータスインジケータを受信したことに応じて、ブロック９１０および９１５において中継ステータスに移行すべきかどうかを決定することができる。モバイルデバイス１１５は基地局１０５のカバレッジエリア中で動作することができ、その他のモバイルデバイス１１５は基地局１０５のカバレッジエリアの外で動作しうる。いくつかのケースでは、カバレッジ外ステータスインジケータは、その他のモバイルデバイス１１５によってブロードキャストされるピア発見メッセージにおいて受信されうる。いくつかの実施形態では、要求は、図４および／または図５を参照して説明されたピア発見モジュール４４０を使用して受信されうる。
【００９７】
[0103]ブロック９１０では、モバイルデバイス１１５は、他のモバイルデバイス１１５に対して中継するサービスを提供するその能力を決定するために、１つまたは複数の要因を分析することができる。例えば、モバイルデバイス１１５は、モバイルデバイス１１５の利用可能な動作電力がしきい値を超えるかどうか、またはモバイルデバイス１１５の利用可能な送信帯域幅がしきい値を超えるかどうかを決定することができる。モバイルデバイス１１５はまた、他のモバイルデバイスによって要求されるサービスが、モバイルデバイス１１５が中継するサービスを提供することができる基地局１０５によって提供されるかどうかを決定することもできる。
【００９８】
[0104]ブロック９１５では、モバイルデバイス１１５が中継ステータスに移行すべきかどうかが決定されうる。例えば、モバイルデバイス１１５は、モバイルデバイスの利用可能な動作電力がその対応するしきい値を超えると決定すると、および／またはモバイルデバイス１１５の利用可能な送信帯域幅がその対応するしきい値を超えると決定すると、および／または他のモバイルデバイス１１５によって要求されるサービスが、モバイルデバイス１１５が中継するサービスを提供することができる基地局１０５によって提供されると決定すると、中継ステータスに移行すると決定することができる。中継ステータスは、他のモバイルデバイス１１５と基地局１０５との間の中継デバイスとして機能するモバイルデバイス１１５の能力を示すことができる。
【００９９】
[0105]モバイルデバイス１１５が中継ステータスに移行しないと決定したとき、それは、ブロック９２０において非中継ステータスに留まりうる。モバイルデバイス１１５が中継ステータスに移行すると決定したとき、それは、ブロック９２５において中継ステータスに移行しうる。
【０１００】
[0106]いくつかの実施形態では、ブロック９１０、９１５、９２０、および／または９２５における動作は、図４および／または図５を参照して説明されたピア発見モジュール４４０および／またはステータスモジュール４４５を使用して実行されうる。
【０１０１】
[0107]ブロック９３０では、中継ステータスを示すピア発見信号が他のモバイルデバイス１１５に送信されうる。いくつかの実施形態では、ブロック９３０で行われた信号送信は、図４および／または図５を参照して説明されたピア発見モジュール４４０、ならびに／あるいは図５を参照して説明されたピア発見信号生成モジュール５１５を使用して行われうる。
【０１０２】
[0108]ブロック９３５では、直接リンク（例えば、ピアツーピアリンク）は、他のモバイルデバイス１１５と確立されうる。いくつかの実施形態では、直接リンクは、図４を参照して説明された通信管理モジュール４３０および／または直接リンク管理モジュール４６０を使用して確立されうる。
【０１０３】
[0109]したがって、方法９００は、ワイヤレス通信を管理するために使用されうる。方法９００が単に１つの実装に過ぎず、他の実装が可能であるように、方法９００の動作が再配置または違った方法で修正されうることは留意されるべきである。
【０１０４】
[0110]図１０は、ワイヤレス通信を管理するための方法１０００の別の実施形態を例示しているフローチャートである。明確性のために、方法１０００は、図１、図２、図３Ａ、および／または図５を参照して説明されたモバイルデバイス１１５のうちの１つまたは複数の態様を参照して以下で説明される。いくつかの実装では、図４および／または図５を参照して説明されたピア発見モジュール４４０は、以下で説明される機能を実行するために、モバイルデバイス１１５の機能的要素を制御するための１つまたは複数のセットのコードを実行することができる。
【０１０５】
[0111]ブロック１００５では、モバイルデバイス１１５は、第１のピア発見信号においてカバレッジ外ステータスインジケータをブロードキャストすることができる。カバレッジ外ステータスインジケータは、基地局１０５への中継サービスを求めるモバイルデバイス１１５のニーズを示すことができる。いくつかの実施形態では、ブロック１００５で行われた信号ブロードキャストは、図４および／または図５を参照して説明されたピア発見モジュール４４０、ならびに／あるいは図５を参照して説明されたピア発見信号生成モジュール５１５を使用して行われうる。
【０１０６】
[0112]ブロック１０１０では、第２のピア発見信号は、少なくとも１つの他のモバイルデバイス１１５から受信されうる。第２のピア発見信号は、中継デバイスとして機能する少なくとも１つの他のモバイルデバイス１１５の能力を示すことができる（例えば、ピア発見信号は、少なくとも１つの他のモバイルデバイス１１５の各々から受信され得、各ピア発見信号は、少なくとも１つの他のモバイルデバイス１１５のそれぞれ１つが中継デバイスとして機能する能力を有するかどうかを示すことができる）。
【０１０７】
[0113]いくつかのケースでは、モバイルデバイス１１５は基地局１０５のカバレッジエリアの外で動作することができ、少なくとも１つの他のモバイルデバイス１１５は基地局１０５のカバレッジエリア内で動作することができる。代わりとして、他のモバイルデバイス１１５のうちの１つまたは複数は、それらのそれぞれの基地局（複数を含む）１０５のために中継デバイスとしての役割をしていることがある。
【０１０８】
[0114]いくつかの実施形態では、ブロック１０１０における動作は、図４および／または図５を参照して説明されたピア発見モジュール４４０、ならびに／あるいは図５を参照して説明された中継サービス獲得モジュール５２０を使用して実行されうる。
【０１０９】
[0115]したがって、方法１０００は、ワイヤレス通信を管理するために使用されうる。方法１０００が単に１つの実装に過ぎず、他の実装が可能であるように、方法１０００の動作が再配置または違った形で修正されうることは留意されるべきである。
【０１１０】
[0116]図１１は、ワイヤレス通信を管理するための方法１１００の別の実施形態を例示しているフローチャートである。明確性のために、方法１１００は、図１、図２、図３Ｂ、および／または図５を参照して説明されたモバイルデバイス１１５のうちの１つまたは複数の態様を参照して以下で説明される。いくつかの実装では、図４および／または図５を参照して説明されたピア発見モジュール４４０は、以下で説明される機能を実行するために、モバイルデバイス１１５の機能的要素を制御するための１つまたは複数のセットのコードを実行することができる。
【０１１１】
[0117]ブロック１１０５では、モバイルデバイス１１５は、カバレッジ外ステータスを感知することができる。いくつかのケースでは、カバレッジ外ステータスは、基地局１０５のカバレッジエリアの外で動作すると（または動作したことに後続して）感知されうる。他のケースでは、カバレッジ外ステータスは、基地局１０５のカバレッジエリアの外で動作する前に感知されうる（例えば、モバイルデバイス１１５は、それが基地局１０５のカバレッジエリアに存在することを、失敗した信号強度および他の要因に基づいて決定することができる）。いくつかの実施形態では、カバレッジ外ステータスは、図４および／または図５を参照して説明されたような、ピア発見モジュール４４０および／または感知モジュール４５５を使用して感知されうる。
【０１１２】
[0118]ブロック１１１０では、モバイルデバイス１１５は、第１のピア発見信号においてカバレッジ外ステータスインジケータをブロードキャストすることができる。カバレッジ外ステータスインジケータは、基地局１０５への中継サービスを求めるモバイルデバイス１１５のニーズを示すことができる。いくつかの実施形態では、ブロック１１１０で行われた信号ブロードキャストは、図４および／または図５を参照して説明されたピア発見モジュール４４０、ならびに／あるいは図５を参照して説明されたピア発見信号生成モジュール５１５を使用して行われうる。
【０１１３】
[0119]ブロック１１１５では、第２のピア発見信号が少なくとも１つの他のモバイルデバイス１１５から受信されたかどうかが決定されうる。第２のピア発見信号は、中継デバイスとして機能する少なくとも１つの他のモバイルデバイス１１５の能力を示すことができる（例えば、ピア発見信号は、少なくとも１つの他のモバイルデバイス１１５の各々から受信され得、各ピア発見信号は、少なくとも１つの他のモバイルデバイス１１５のそれぞれ１つが中継デバイスとして機能する能力を有するかどうかを示すことができる）。第２のピア発見信号が受信されたとき、方法１１００の動作はブロック１１２０に続きうる。そうでなければ、方法１１００の動作は、例えばブロック１１１０に戻りうる。
【０１１４】
[0120]いくつかのケースでは、モバイルデバイス１１５は基地局１０５のカバレッジエリアの外で動作することができ、少なくとも１つの他のモバイルデバイス１１５は基地局１０５のカバレッジエリア内で動作することができる。代わりとして、他のモバイルデバイス１１５のうちの１つまたは複数は、それらのそれぞれの基地局（複数を含む）１０５のために中継デバイスとしての役割をしていることがある。
【０１１５】
[0121]いくつかの実施形態では、ブロック１１１５における動作は、図４および／または図５を参照して説明されたピア発見モジュール４４０、ならびに／あるいは図５を参照して説明された中継サービス獲得モジュール５２０を使用して行われうる。
【０１１６】
[0122]ブロック１１２０では、中継器として別のモバイルデバイス１１５（例えば、少なくとも１つの他のモバイルデバイス１１５のうちの１つ）を使用すべきかどうかが決定されうる。いくつかのケースでは、中継器として別のモバイルデバイス１１５０を使用することが、モバイルデバイス１１５が中継器として機能するその他のモバイルデバイス１１５の能力を示すピア発見信号を受信したので、決定されうる。他のケースでは、１つまたは複数の追加の要因の分析に基づいて、中継器として他のモバイルデバイス１１５を使用することが決定されうる。例えば、他のモバイルデバイス１１５との通信の信号強度がしきい値を超えるかどうかが決定されうる。
【０１１７】
[0123]第２のピア発見信号が他のモバイルデバイス１１５から受信される、および／または他のモバイルデバイス１１５との通信の信号強度がしきい値を超えるとき、直接リンク（例えば、ピアツーピアリンク）は、ブロック１１２５において他のモバイルデバイス１１５と確立されうる。いくつかの実施形態では、直接リンクは、図４を参照して説明された通信管理モジュール４３０および／または直接リンク管理モジュール４６０を使用して確立されうる。他のモバイルデバイス１１５との通信の信号強度がしきい値を超えないとき、方法１１００の動作は、例えばブロック１１１０に戻りうる。
【０１１８】
[0124]方法１１００のいくつかの実施形態では、中継デバイスとして機能する能力を有する多くの他のモバイルデバイス１１５の各々に関して１つまたは複数の要因が分析されうる。例えば、少なくとも１つの他のモバイルデバイス１１５の各々との通信の信号強度がしきい値を超えるかどうかが決定され得、少なくとも１つの他のモバイルデバイス１１５のうちの１つとの通信の信号強度がしきい値を超えると決定すると、直接リンクは少なくとも１つの他のモバイルデバイス１１５のうちの１つと確立されうる。いくつかのケースでは、少なくとも１つの他のモバイルデバイス１１５のうちの１つは、１つの他のモバイルデバイス１１５との通信が最良の信号強度と関連付けられたという決定に基づいて選択されうる。少なくとも１つの他のモバイルデバイス１１５のうちの１つはまた、代わりの、および／または追加の要因に基づいても選択されうる。
【０１１９】
[0125]したがって、方法１１００は、ワイヤレス通信を管理するために使用されうる。方法１１００が単に１つの実装に過ぎず、他の実装が可能であるように、方法１１００の動作が再配置または違った形で修正されうることは留意されるべきである。
【０１２０】
[0126]図１２は、ワイヤレス通信を管理するための方法１２００の別の実施形態を例示しているフローチャートである。明確性のために、方法１２００は、図１、図２、図３Ｂ、および／または図５を参照して説明されたモバイルデバイス１１５のうちの１つまたは複数の態様を参照して以下で説明される。いくつかの実装では、図４および／または図５を参照して説明されたピア発見モジュール４４０は、以下で説明される機能を実行するために、モバイルデバイス１１５の機能的要素を制御するための１つまたは複数のセットのコードを実行することができる。
【０１２１】
[0127]ブロック１２０５では、モバイルデバイス１１５は、それが基地局１０５の範囲の外にある（または基地局１０５の範囲の外になろうとしている）ことを感知することができる。いくつかの実施形態では、ブロック１２０５で実行される感知は、図４および／または図５を参照して説明されたピア発見モジュール４４０および／または感知モジュール４５５を使用して達成されうる。
【０１２２】
[0128]ブロック１２１０では、カバレッジ外モバイルデバイス１１５は、第１のピア発見信号においてカバレッジ外ステータスインジケータをブロードキャストすることができる。カバレッジ外ステータスインジケータは、基地局１０５への中継サービスを求めるモバイルデバイス１１５のニーズを示すことができる。いくつかの実施形態では、ブロック１２１０で行われた信号ブロードキャストは、図４および／または図５を参照して説明されたピア発見モジュール４４０、ならびに／あるいは図５を参照して説明されたピア発見信号生成モジュール５１５を使用して行われうる。
【０１２３】
[0129]ブロック１２１５では、第２のピア発見信号は、少なくとも１つの他のモバイルデバイス１１５から受信されうる。第２のピア発見信号は、中継デバイスとして機能する少なくとも１つの他のモバイルデバイス１１５の能力を示すことができる（例えば、ピア発見信号は、少なくとも１つの他のモバイルデバイス１１５の各々から受信され得、各ピア発見信号は、少なくとも１つの他のモバイルデバイス１１５のそれぞれ１つが中継デバイスとして機能する能力を有するかどうかを示すことができる）。
【０１２４】
[0130]いくつかのケースでは、モバイルデバイス１１５は基地局１０５のカバレッジエリアの外で動作することができ、少なくとも１つの他のモバイルデバイス１１５は基地局１０５のカバレッジエリア内で動作することができる。代わりとして、他のモバイルデバイス１１５のうちの１つまたは複数は、それらのそれぞれの基地局（複数を含む）１０５のために中継デバイスとしての役割をしていることがある。
【０１２５】
[0131]いくつかの実施形態では、ブロック１２１５における動作は、図４および／または図５を参照して説明されたピア発見モジュール４４０、ならびに／あるいは図５を参照して説明された中継サービス獲得モジュール５２０を使用して実行されうる。
【０１２６】
[0132]ブロック１２２０では、直接リンク（例えば、ピアツーピアリンク）は、その少なくとも１つの他のモバイルデバイス１１５のうちの１つと確立されうる。いくつかの実施形態では、直接リンクは、図４を参照して説明された通信管理モジュール４３０および／または直接リンク管理モジュール４６０を使用して確立されうる。
【０１２７】
[0133]ブロック１２２５では、モバイルデバイス１１５は、それ自体が、中継ステータスに移行する決定を行うことができる。モバイルデバイス１１５の中継ステータスは、それが中継サービスを受信するカバレッジ内モバイルデバイス１１５と、基地局１０５と通信するために中継サービスを必要とする少なくとも１つの他のカバレッジ外モバイルデバイスとの間の中継デバイスとして機能するモバイルデバイス１１５の機能を示すことができる。したがって、モバイルデバイス１１５は、１）カバレッジ内モバイルデバイスによって提供される中継サービスを使用すること、および２）１つまたは複数の他のカバレッジ外モバイルデバイスに中継サービスを提供すること、の両方を行うことができる。いくつかの実施形態では、ブロック１２２５で行われる決定は、図４および／または図５を参照して説明されたピア発見モジュール４４０および／またはステータスモジュール４４５を使用して行われうる。
【０１２８】
[0134]ブロック１２３０では、中継ステータスを示す第３のピア発見信号が送信されうる。例えば、第３のピア発見信号は、少なくとも１つのカバレッジ外モバイルデバイス１１５にブロードキャストされうる。いくつかの実施形態では、ブロック６１０で行われた送信は、図４および／または図５を参照して説明されたピア発見モジュール４４０、ならびに／あるいは図５を参照して説明されたピア発見信号生成モジュール５１５を使用して行われうる。
【０１２９】
[0135]ブロック１２３５では、中継するサービスのための要求は、カバレッジ外モバイルデバイス１１５から（例えば、少なくとも１つのカバレッジ外モバイルデバイス１１５のうちの１つから）受信されうる。いくつかの実施形態では、要求は、図４および／または図５を参照して説明されたピア発見モジュール４４０および／または感知モジュール４５５を使用して受信されうる。
【０１３０】
[0136]ブロック１２４０では、直接リンク（例えば、ピアツーピアリンク）は、カバレッジ外モバイルデバイス１１５と確立されうる。いくつかの実施形態では、直接リンクは、図４および／または図５を参照して説明されたピア発見モジュール４４０、ならびに／あるいは図５を参照して説明された直接リンク生成モジュール５２５を使用して確立されうる。
【０１３１】
[0137]方法１２００を実行するモバイルデバイス１１５によって、少なくとも１つの送信が、少なくとも１つの他のモバイルデバイス１１５のうちの１つからカバレッジ外モバイルデバイス１１５に、および／またはカバレッジ外モバイルデバイス１１５から少なくとも１つの他のモバイルデバイス１１５のうちの１つに、受信され、再送信されうる。例えば、送信（例えば、データ）は、基地局１０５により近いモバイルデバイス１１５から受信され、カバレッジ外モバイルデバイス１１５に再送信されうる、および／または、送信（例えば、データ）は、カバレッジ外モバイルデバイス１１５から受信され、基地局１０５により近いモバイルデバイス１１５に再送信されうる。いくつかの実施形態では、再送信（複数を含む）は、図４を参照して説明されたプロセッサモジュール４２５を使用して行われうる。
【０１３２】
[0138]方法１２００の代わりの実施形態では、カバレッジ外ステータスインジケータは、ブロック１２２５の前にカバレッジ外モバイルデバイス１１５から受信されうる。この実施形態では、モバイルデバイス１１５は、ブロック１２２５において、カバレッジ外ステータスインジケータを受信したことに応じて中継ステータスに移行すると決定することができ、ブロック１２３５においてカバレッジ外モバイルデバイス１１５から中継するサービスのための要求を受信しないことがある。いくつかのケースでは、カバレッジ外ステータスインジケータは、カバレッジ外モバイルデバイス１１５によってブロードキャストされるピア発見メッセージにおいて受信されうる。
【０１３３】
[0139]したがって、方法１２００は、ワイヤレス通信を管理するために使用されうる。方法１２００が単に１つの実装に過ぎず、他の実装が可能であるように、方法１２００の動作が再配置または違った形で修正されうることは留意されるべきである。方法１２００は、いくつかのケースでは、それがマルチホップ中継サービスを容易にすることができる点で役立ちうる。
【０１３４】
[0140]添付図面に関連して上記で述べられた発明を実施するための形態は、例示的な実施形態を説明するものであり、実装されうるまたは請求項の範囲内にある実施形態のみ（the only embodiments）を表すものではない。本説明全体にわたって使用されている「実例的（exemplary）」という用語は、「好ましい」または「他の実施形態よりも有利である」ということではなく、「例、実例、あるいは例示としての役割をする」を意味する。発明を実施するための形態は、説明された技法の理解を提供する目的で、具体的な詳細を含む。しかしながら、これらの技術は、これらの具体的な詳細なしに実施されうる。いくつかの事例では、周知の構造およびデバイスは、説明された実施形態の概念を曖昧にすることを回避するためにブロック図の形態で図示されている。
【０１３５】
[0141]本明細書で説明されている技法は、ＣＤＭＡ、ＴＤＭＡ、ＦＤＭＡ、ＯＦＤＭＡ、ＳＣ−ＦＤＭＡおよび他のシステムのような様々なワイヤレス通信システムのために用いられうる。「システム」および「ネットワーク」という用語は、度々、交換可能に使用される。ＣＤＭＡシステムは、ＣＤＭＡ２０００、ユニバーサル地上無線アクセス（ＵＴＲＡ）等のような無線技術を実装することができる。ＣＤＭＡ２０００は、ＩＳ−２０００、ＩＳ−９５、ＩＳ−８５６規格をカバーする。ＩＳ−２０００リリース０およびＡは、一般に、ＣＤＭＡ２０００  １Ｘ、１Ｘ、等と称される。ＩＳ−８５６（ＴＩＡ−８５６）は、一般に、ＣＤＭＡ２０００  １ｘＥＶ−ＤＯや、高速パケットデータ（ＨＲＰＤ）、等と称される。ＵＴＲＡは、広帯域ＣＤＭＡ（ＷＣＤＭＡ（登録商標））およびＣＤＭＡの他の変形を含む。ＴＤＭＡシステムは、移動体通信のための全世界システム（ＧＳＭ（登録商標））のような無線技術を実装することができる。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ等のような無線技術を実装することができる。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ。ＬＴＥ、ＬＴＥーＡ、ＧＳＭは、「第３世代パートナーシッププロジェクト」（３ＧＰＰ）という名称の組織による文書において説明されている。ＣＤＭＡ２０００およびＵＭＢは、「第３世代パートナーシッププロジェクト２」（３ＧＰＰ２）という名称の組織による文書において説明されている。本明細書で説明されている技法は、上記で言及されたシステムおよび無線技術に加えて、他のシステムおよび無線技術に使用されうる。しかしながら以下の説明は、例の目的でＬＴＥを説明しており、その技術はＬＴＥアプリケーションを超えて適用可能であるけれども、ＬＴＥの専門用語が以下の説明のほとんどにおいて使用される。
【０１３６】
[0142]開示された様々な実施形態のうちのいくつかを含み得る（accommodate）通信ネットワークは、層状プロトコルスタックにしたがって動作するパケットベースのネットワークでありうる。例えば、ベアラまたはパケットデータコンバージェンスプロトコル（ＰＤＣＰ）層における通信は、ＩＰベースでありうる。無線リンク制御（ＲＬＣ）層は、論理チャネル上で通信するためにパケット分割および再構築を実行することができる。メディアアクセス制御（ＭＡＣ）層は、優先処理（priority handling）および論理チャネルをトランスポートチャネルに多重化することを実行することができる。ＭＡＣ層はまた、リンク効率を向上させるためにＭＡＣ層において再送を提供するハイブリッドＡＲＱ（ＨＡＲＱ）を使用することもできる。物理層において、トランスポートチャネルは、物理チャネルにマッピングされうる。
【０１３７】
[0143]情報および信号は、様々な異なる技術および技法のいずれかを使用して表されうる。例えば、上記の説明全体を通して参照されうるデータ、命令、コマンド、情報、信号、ビット、シンボル、およびチップは、電圧、電流、電磁波、電磁場もしくは磁性粒子、光学場もしくは光学粒子、またはそれらのあらゆる組み合わせによって表されうる。
【０１３８】
[0144]本明細書における開示に関連して説明されている、様々な例示的なブロックおよびモジュールは、本明細書で説明されている機能を行うように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理回路、ディスクリートハードウェアコンポーネント、またはそれらのあらゆる組み合わせで、実装または実行されうる。汎用プロセッサは、マイクロプロセッサでありうるが、代わりとして、そのプロセッサは、あらゆる従来型のプロセッサ、コントローラ、マイクロコントローラ、または状態マシン（state machine）でありうる。プロセッサはまた、コンピューティングデバイスの組み合わせ、例えば、ＤＳＰとマイクロプロセッサとの組み合わせ、複数のマイクロプロセッサ、ＤＳＰコアと連動する１つまたは複数のマイクロプロセッサ、またはあらゆる他のそのような構成、としても実装されうる。プロセッサは、いくつかのケースにおいて、メモリと電子通信状態にあり得、ここにおいてメモリは、プロセッサによって実行可能である命令を記憶する。
【０１３９】
[0145]本明細書において説明されている機能は、ハードウェア、プロセッサによって実行されるソフトウェア、ファームウェア、またはそれらのあらゆる組み合わせで実装されうる。プロセッサによって実行されるソフトウェアで実装される場合、機能は、コンピュータ可読媒体上で１つまたは複数の命令またはコードとして記憶または送信されうる。他の例および実装は、本開示および添付の請求項の趣旨および範囲内にある。例えば、ソフトウェアの本質に起因して、上記で説明された機能は、プロセッサ、ハードウェア、ファームウェア、ハードワイヤリング、またはこれらの任意のものの組み合わせによって実行されるソフトウェアを使用して実行されうる。機能を実行する機構（feature）はまた、様々な位置に物理的に位置付けられ、それは、機能の複数の部分が異なる物理的な位置において実装されるように分配されることを含む。また、請求項を含む本明細書で使用される場合、「のうちの少なくとも１つ」によって始まる項目のリストで使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【０１４０】
[0146]コンピュータプログラム製品またはコンピュータ可読媒体は両方とも、１つの場所から別の場所へのコンピュータプログラムの転送を容易にするあらゆる媒体を含む、通信媒体およびコンピュータ可読記憶媒体を含む。記憶媒体は、汎用コンピュータまたは特定用途コンピュータによってアクセスされうるあらゆる媒体でありうる。限定ではなく例として、コンピュータ可読媒体は、ＲＡＭ、ＲＯＭ、ＥＥＰＲＯＭ（登録商標）、ＣＤ−ＲＯＭもしくは他の光学ディスクストレージ、磁気ディスクストレージもしくは他の磁気記憶デバイス、または命令もしくはデータ構造の形態で所望のコンピュータ可読プログラムコードを搬送または記憶するために使用され得、および汎用もしくは特定用途のコンピュータまたは汎用もしくは特定用途のプロセッサによってアクセスされうるあらゆる他の媒体を備えることができる。また、いずれの接続手段もコンピュータ可読媒体と適切に名づけられる。例えば、ソフトウェアが、ウェブサイトから、サーバから、あるいは、同軸ケーブル、光ファイバケーブル、ツイストペア、デジタル加入者線（ＤＳＬ）、または赤外線や、無線や、マイクロ波のようなワイヤレス技術を使用する他の遠隔ソースから送信された場合、同軸ケーブル、光ファイバケーブル、ツイストペア、ＤＳＬ、あるいは、赤外線や、無線や、マイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ディスク（disk）が大抵、磁気的にデータを再生する一方で、ディスク（disc）は、レーザーを用いて光学的にデータを再生する。上記の組み合わせはまた、コンピュータ可読媒体の範囲内に含まれる。
【０１４１】
[0147]本開示の先の説明は、当業者が本開示を製造または使用することを可能にするために提供されている。本開示に対する様々な修正は、当業者には容易に明らかとなり、本明細書において定義された包括的な原理は、本開示の趣旨または範囲から逸脱することなく、他のバリエーションに適用されうる。本開示を通して、「例（example）」または「実例的（exemplary）」という用語は、例あるいは事例を示しており、着目された例に対していかなる選好も暗示または要求していない。したがって、本開示は、本明細書において説明されている例および設計に限定されるものではなく、本明細書において開示されている原理および新規の特徴と一致する最大範囲を与えられるものとする。
以下に、本願出願の当初の特許請求の範囲に記載された発明を付記する。
［Ｃ１］
ワイヤレス通信を管理するための方法であって、
モバイルデバイスによって、中継ステータスに移行すると決定すること、ここにおいて、前記中継ステータスは、少なくとも１つの他のモバイルデバイスと基地局との間の中継デバイスとして機能する前記モバイルデバイスの能力を示す、と、
前記中継ステータスを示すピア発見信号を送信することと
を備える、方法。
［Ｃ２］
前記モバイルデバイスの利用可能な動作電力がしきい値を超えるかどうかを決定することと、
前記モバイルデバイスの前記利用可能な動作電力が前記しきい値を超えると決定すると、前記中継ステータスに移行すると決定することと
をさらに備える、Ｃ１に記載の方法。
［Ｃ３］
前記モバイルデバイスの利用可能な送信帯域幅がしきい値を超えるかどうかを決定することと、
前記モバイルデバイスの前記利用可能な送信帯域幅が前記しきい値を超えると決定すると、前記中継ステータスに移行すると決定することと
をさらに備える、Ｃ１に記載の方法。
［Ｃ４］
前記少なくとも１つの他のモバイルデバイスのうちの１つから、カバレッジ外ステータスインジケータまたは中継するサービスのための要求を受信すること
をさらに備える、Ｃ１に記載の方法。
［Ｃ５］
前記少なくとも１つの他のモバイルデバイスのうちの前記１つと直接リンクを確立することをさらに備える、
Ｃ４に記載の方法。
［Ｃ６］
前記少なくとも１つの他のモバイルデバイスのうちの前記１つによって要求されるサービスが前記基地局によって提供されるかどうかを決定することと、
前記少なくとも１つの他のモバイルデバイスのうちの前記１つによって要求される前記サービスが前記基地局によって提供されると決定すると、前記少なくとも１つの他のモバイルデバイスのうちの前記１つと直接リンクを確立することと
をさらに備える、Ｃ４に記載の方法。
［Ｃ７］
前記基地局から送信を受信することと、
前記少なくとも１つの他のモバイルデバイスのうちの１つに前記送信を再送信することと
をさらに備える、Ｃ１に記載の方法。
［Ｃ８］
前記少なくとも１つの他のモバイルデバイスのうちの１つから送信を受信することと、
前記基地局に前記送信を再送信することと
をさらに備える、Ｃ１に記載の方法。
［Ｃ９］
前記基地局からデータを受信することと、
前記少なくとも１つの他のモバイルデバイスのうちの１つに前記データを再送信することと
をさらに備える、Ｃ１に記載の方法。
［Ｃ１０］
前記基地局のカバレッジエリア中で動作することをさらに備え前記少なくとも１つの他のモバイルデバイスは、前記基地局の前記カバレッジエリアの外で動作する、
Ｃ１に記載の方法。
［Ｃ１１］
ワイヤレス通信を管理するためのモバイルデバイスであって、
中継ステータスに移行すると決定するための手段、ここにおいて、前記中継ステータスは、少なくとも１つの他のモバイルデバイスと基地局との間の中継デバイスとして機能する前記モバイルデバイスの能力を示す、と、
前記中継ステータスを示すピア発見信号を送信するための手段と
を備える、モバイルデバイス。
［Ｃ１２］
前記モバイルデバイスの利用可能な動作電力がしきい値を超えるかどうかを決定するための手段と、
前記モバイルデバイスの前記利用可能な動作電力が前記しきい値を超えると決定すると、前記中継ステータスに移行すると決定するための手段と
をさらに備える、Ｃ１１に記載のモバイルデバイス。
［Ｃ１３］
前記モバイルデバイスの利用可能な送信帯域幅がしきい値を超えるかどうかを決定するための手段と、
前記モバイルデバイスの前記利用可能な送信帯域幅が前記しきい値を超えると決定すると、前記中継ステータスに移行すると決定するための手段と
をさらに備える、Ｃ１１に記載のモバイルデバイス。
［Ｃ１４］
前記少なくとも１つの他のモバイルデバイスのうちの１つから、カバレッジ外ステータスインジケータまたは中継するサービスのための要求を受信するための手段をさらに備える、
Ｃ１１に記載のモバイルデバイス。
［Ｃ１５］
前記少なくとも１つの他のモバイルデバイスのうちの前記１つと直接リンクを確立するための手段をさらに備える、
Ｃ１４に記載のモバイルデバイス。
［Ｃ１６］
前記少なくとも１つの他のモバイルデバイスのうちの前記１つによって要求されるサービスが前記基地局によって提供されるかどうかを決定するための手段と、
前記少なくとも１つの他のモバイルデバイスのうちの前記１つによって要求される前記サービスが前記基地局によって提供されると決定すると、前記少なくとも１つの他のモバイルデバイスのうちの前記１つと直接リンクを確立するための手段と
をさらに備える、Ｃ１４に記載のモバイルデバイス。
［Ｃ１７］
前記基地局から送信を受信するための手段と、
前記少なくとも１つの他のモバイルデバイスのうちの１つに前記送信を再送信するための手段と
をさらに備える、Ｃ１１に記載のモバイルデバイス。
［Ｃ１８］
前記少なくとも１つの他のモバイルデバイスのうちの１つから送信を受信するための手段と、
前記基地局に前記送信を再送信するための手段と
をさらに備える、Ｃ１１に記載のモバイルデバイス。
［Ｃ１９］
前記基地局からデータを受信するための手段と、
前記少なくとも１つの他のモバイルデバイスのうちの１つに前記データを再送信するための手段と
をさらに備える、Ｃ１１に記載のモバイルデバイス。
［Ｃ２０］
前記基地局のカバレッジエリア中で動作するための手段をさらに備え前記少なくとも１つの他のモバイルデバイスは、前記基地局の前記カバレッジエリアの外で動作する、
Ｃ１１に記載のモバイルデバイス。
［Ｃ２１］
ワイヤレス通信を管理するためのモバイルデバイスであって、
プロセッサと、
前記プロセッサと電子通信状態にあるメモリと、
前記メモリに記憶された命令と
を備え、前記命令は、前記プロセッサが、
中継ステータスに移行すると決定すること、ここにおいて、前記中継ステータスは、少なくとも１つの他のモバイルデバイスと基地局との間の中継デバイスとして機能する前記モバイルデバイスの能力を示す、と、
前記中継ステータスを示すピア発見信号を送信することと
を行うように実行可能である、モバイルデバイス。
［Ｃ２２］
前記命令は、前記プロセッサが、
前記モバイルデバイスの利用可能な動作電力がしきい値を超えるかどうかを決定することと、
前記モバイルデバイスの前記利用可能な動作電力が前記しきい値を超えると決定すると、前記中継ステータスに移行すると決定することと
を行うように実行可能である、Ｃ２１に記載のモバイルデバイス。
［Ｃ２３］
前記命令は、前記プロセッサが、
前記モバイルデバイスの利用可能な送信帯域幅がしきい値を超えるかどうかを決定することと、
前記モバイルデバイスの前記利用可能な送信帯域幅が前記しきい値を超えると決定すると、前記中継ステータスに移行すると決定することと
を行うように実行可能である、Ｃ２１に記載のモバイルデバイス。
［Ｃ２４］
前記命令は、前記プロセッサが、
前記少なくとも１つの他のモバイルデバイスのうちの１つから、カバレッジ外ステータスインジケータまたは中継するサービスのための要求を受信することを行うように実行可能である、
Ｃ２１に記載のモバイルデバイス。
［Ｃ２５］
前記命令は、前記プロセッサが、
前記少なくとも１つの他のモバイルデバイスのうちの前記１つと直接リンクを確立することを行うように実行可能である、
Ｃ２４に記載のモバイルデバイス。
［Ｃ２６］
前記命令は、前記プロセッサが、
前記少なくとも１つの他のモバイルデバイスのうちの前記１つによって要求されるサービスが前記基地局によって提供されるかどうかを決定することと、
前記少なくとも１つの他のモバイルデバイスのうちの前記１つによって要求される前記サービスが前記基地局によって提供されると決定すると、前記少なくとも１つの他のモバイルデバイスのうちの前記１つと直接リンクを確立することと
を行うように実行可能である、Ｃ２４に記載のモバイルデバイス。
［Ｃ２７］
前記命令は、前記プロセッサが、
前記基地局からデータを受信することと、
前記少なくとも１つの他のモバイルデバイスのうちの１つに前記データを再送信することと
を行うように実行可能である、Ｃ２１に記載のモバイルデバイス。
［Ｃ２８］
前記命令は、前記プロセッサが、
前記基地局のカバレッジエリア中で動作することを行うように実行可能であり、前記少なくとも１つの他のモバイルデバイスは、前記基地局の前記カバレッジエリアの外で動作する、
Ｃ２１に記載のモバイルデバイス。
［Ｃ２９］
命令を記憶する非一時的コンピュータ可読媒体を備える、ワイヤレス通信を管理するためのコンピュータプログラム製品であって、前記命令は、プロセッサが
中継ステータスに移行すると決定すること、ここにおいて、前記中継ステータスは、少なくとも１つの他のモバイルデバイスと基地局との間の中継デバイスとして機能する前記モバイルデバイスの能力を示す、と、
前記中継ステータスを示すピア発見信号を送信することと
を行うように実行可能である、コンピュータプログラム製品。
［Ｃ３０］
前記命令は、前記プロセッサが、
前記モバイルデバイスの利用可能な動作電力がしきい値を超えるかどうかを決定することと、
前記モバイルデバイスの前記利用可能な動作電力が前記しきい値を超えると決定すると、前記中継ステータスに移行すると決定することと
を行うように実行可能である、Ｃ２９に記載のコンピュータプログラム製品。
［Ｃ３１］
前記命令は、前記プロセッサが、
前記モバイルデバイスの利用可能な送信帯域幅がしきい値を超えるかどうかを決定することと、
前記モバイルデバイスの前記利用可能な送信帯域幅が前記しきい値を超えると決定すると、前記中継ステータスに移行すると決定することと
を行うように実行可能である、Ｃ２９に記載のコンピュータプログラム製品。
［Ｃ３２］
前記命令は、前記プロセッサが、
前記少なくとも１つの他のモバイルデバイスのうちの１つから、カバレッジ外ステータスインジケータまたは中継するサービスのための要求を受信することを行うように実行可能である、
Ｃ２９に記載のコンピュータプログラム製品。
［Ｃ３３］
前記命令は、前記プロセッサが、
前記少なくとも１つの他のモバイルデバイスのうちの前記１つと直接リンクを確立することを行うように実行可能である、
Ｃ３２に記載のコンピュータプログラム製品。
［Ｃ３４］
ワイヤレス通信を管理するための方法であって、
モバイルデバイスによって、第１のピア発見信号においてカバレッジ外ステータスインジケータをブロードキャストすることと、
少なくとも１つの他のモバイルデバイスから第２のピア発見信号を受信すること、ここにおいて、前記第２のピア発見信号は、中継デバイスとして機能する前記少なくとも１つの他のモバイルデバイスの能力を示す、と
を備える、方法。
［Ｃ３５］
前記少なくとも１つの他のモバイルデバイスのうちの１つと直接リンクを確立することをさらに備える、
Ｃ３４に記載の方法。
［Ｃ３６］
前記少なくとも１つの他のモバイルデバイスのうちの１つとの通信の信号強度がしきい値を超えるかどうかを決定することと、
前記少なくとも１つの他のモバイルデバイスのうちの１つとの前記通信の前記信号強度が前記しきい値を超えると決定すると、前記少なくとも１つの他のモバイルデバイスのうちの前記１つと直接リンクを確立することと
をさらに備える、Ｃ３４に記載の方法。
［Ｃ３７］
前記少なくとも１つの他のモバイルデバイスの各々との通信の信号強度がしきい値を超えるかどうかを決定することと、
前記少なくとも１つの他のモバイルデバイスのうちの１つとの前記通信の前記信号強度が前記しきい値を超えると決定すると、前記少なくとも１つの他のモバイルデバイスのうちの前記１つと直接リンクを確立することと
をさらに備える、Ｃ３４に記載の方法。
［Ｃ３８］
基地局のカバレッジエリアの外で動作する前に前記第１のピア発見信号において前記カバレッジ外ステータスインジケータをブロードキャストすることをさらに備える、
Ｃ３４に記載の方法。
［Ｃ３９］
基地局のカバレッジエリアの外で動作することに後続して前記第１のピア発見信号において前記カバレッジ外ステータスインジケータをブロードキャストすることをさらに備える、
Ｃ３４に記載の方法。
［Ｃ４０］
前記モバイルデバイスによって、中継ステータスに移行すると決定すること、ここにおいて、前記中継ステータスは、前記少なくとも１つの他のモバイルデバイスと基地局の前記カバレッジエリアの外で動作する少なくとも１つのカバレッジ外モバイルデバイスとの間の中継デバイスとして機能する前記モバイルデバイスの能力を示す、と、
前記中継ステータスを示す第３のピア発見信号を送信することと
をさらに備える、Ｃ３４に記載の方法。
［Ｃ４１］
前記少なくとも１つのカバレッジ外モバイルデバイスのうちの１つから、カバレッジ外ステータスインジケータまたは中継するサービスのための要求を受信することと、
前記少なくとも１つのカバレッジ外モバイルデバイスのうちの前記１つと直接リンクを確立することと
をさらに備える、Ｃ４０に記載の方法。
［Ｃ４２］
前記少なくとも１つの他のモバイルデバイスのうちの１つからデータを受信することと、
前記少なくとも１つの他のカバレッジ外モバイルデバイスのうちの１つに前記データを再送信することと
をさらに備える、Ｃ４１に記載の方法。
［Ｃ４３］
前記少なくとも１つのカバレッジ外モバイルデバイスのうちの１つからデータを受信することと、
前記少なくとも１つの他のモバイルデバイスのうちの１つに前記データを再送信することと
をさらに備える、Ｃ４１に記載の方法。
［Ｃ４４］
ワイヤレス通信を管理するためのモバイルデバイスであって、
第１のピア発見信号においてカバレッジ外ステータスインジケータをブロードキャストするための手段と、
少なくとも１つの他のモバイルデバイスから第２のピア発見信号を受信するための手段、ここにおいて、前記第２のピア発見信号は、中継デバイスとして機能する前記少なくとも１つの他のモバイルデバイスの能力を示す、と
を備える、モバイルデバイス。
［Ｃ４５］
前記少なくとも１つの他のモバイルデバイスのうちの１つと直接リンクを確立するための手段をさらに備える、
Ｃ４４に記載のモバイルデバイス。
［Ｃ４６］
前記少なくとも１つの他のモバイルデバイスのうちの１つとの通信の信号強度がしきい値を超えるかどうかを決定するための手段と、
前記少なくとも１つの他のモバイルデバイスのうちの前記１つとの前記通信の前記信号強度が前記しきい値を超えると決定すると、前記少なくとも１つの他のモバイルデバイスのうちの前記１つと直接リンクを確立するための手段と
をさらに備える、Ｃ４４に記載のモバイルデバイス。
［Ｃ４７］
前記少なくとも１つの他のモバイルデバイスの各々との通信の信号強度がしきい値を超えるかどうかを決定するための手段と、
前記少なくとも１つの他のモバイルデバイスのうちの１つとの前記通信の前記信号強度が前記しきい値を超えると決定すると、前記少なくとも１つの他のモバイルデバイスのうちの前記１つと直接リンクを確立するための手段と
をさらに備える、Ｃ４４に記載のモバイルデバイス。
［Ｃ４８］
基地局のカバレッジエリアの外で動作する前に前記第１のピア発見信号において前記カバレッジ外ステータスインジケータをブロードキャストするための手段をさらに備える、
Ｃ４４に記載のモバイルデバイス。
［Ｃ４９］
基地局のカバレッジエリアの外で動作することに後続して前記第１のピア発見信号において前記カバレッジ外ステータスインジケータをブロードキャストするための手段をさらに備える、
Ｃ４４に記載のモバイルデバイス。
［Ｃ５０］
前記モバイルデバイスによって、中継ステータスに移行すると決定するための手段、ここにおいて、前記中継ステータスは、前記少なくとも１つの他のモバイルデバイスと基地局の前記カバレッジエリアの外で動作する少なくとも１つのカバレッジ外モバイルデバイスとの間の中継デバイスとして機能する前記モバイルデバイスの能力を示す、と、
前記中継ステータスを示す第３のピア発見信号を送信するための手段と
をさらに備える、Ｃ４４に記載のモバイルデバイス。
［Ｃ５１］
前記少なくとも１つのカバレッジ外モバイルデバイスのうちの１つから、カバレッジ外ステータスインジケータまたは中継するサービスのための要求を受信するための手段と、
前記少なくとも１つのカバレッジ外モバイルデバイスのうちの前記１つと直接リンクを確立するための手段と
をさらに備える、Ｃ５０に記載のモバイルデバイス。
［Ｃ５２］
前記少なくとも１つの他のモバイルデバイスのうちの１つからデータを受信するための手段と、
前記少なくとも１つのカバレッジ外モバイルデバイスのうちの１つに前記データを再送信するための手段と
をさらに備える、Ｃ５１に記載のモバイルデバイス。
［Ｃ５３］
前記少なくとも１つのカバレッジ外モバイルデバイスのうちの１つからデータを受信するための手段と、
前記少なくとも１つの他のモバイルデバイスのうちの１つに前記データを再送信するための手段と
をさらに備える、Ｃ５１に記載のモバイルデバイス。
［Ｃ５４］
ワイヤレス通信を管理するためのモバイルデバイスであって、
プロセッサと、
前記プロセッサと電子通信状態にあるメモリと、
前記メモリに記憶された命令と
を備え、前記命令は、前記プロセッサが、
第１のピア発見信号においてカバレッジ外ステータスインジケータをブロードキャストすることと、
少なくとも１つの他のモバイルデバイスから第２のピア発見信号を受信すること、ここにおいて、前記第２のピア発見信号は、中継デバイスとして機能する前記少なくとも１つの他のモバイルデバイスの能力を示す、と
を行うように実行可能である、モバイルデバイス。
［Ｃ５５］
前記命令は、前記プロセッサが、
前記少なくとも１つの他のモバイルデバイスのうちの１つと直接リンクを確立すること
を行うように実行可能である、Ｃ５４に記載のモバイルデバイス。
［Ｃ５６］
前記命令は、前記プロセッサが、
前記少なくとも１つの他のモバイルデバイスのうちの１つとの通信の信号強度がしきい値を超えるかどうかを決定することと、
前記少なくとも１つの他のモバイルデバイスのうちの前記１つとの前記通信の前記信号強度が前記しきい値を超えると決定すると、前記少なくとも１つの他のモバイルデバイスのうちの前記１つと直接リンクを確立することと
を行うように実行可能である、Ｃ５４に記載のモバイルデバイス。
［Ｃ５７］
前記命令は、前記プロセッサが、
前記少なくとも１つの他のモバイルデバイスの各々との通信の信号強度がしきい値を超えるかどうかを決定することと、
前記少なくとも１つの他のモバイルデバイスのうちの１つとの前記通信の前記信号強度が前記しきい値を超えると決定すると、前記少なくとも１つの他のモバイルデバイスのうちの前記１つと直接リンクを確立することと
を行うように実行可能である、Ｃ５４に記載のモバイルデバイス。
［Ｃ５８］
前記命令は、前記プロセッサが、
基地局のカバレッジエリアの外で動作する前に前記第１のピア発見信号において前記カバレッジ外ステータスインジケータをブロードキャストすることを行うように実行可能である、
Ｃ５４に記載のモバイルデバイス。
［Ｃ５９］
前記命令は、前記プロセッサが、
基地局のカバレッジエリアの外で動作することに後続して前記第１のピア発見信号において前記カバレッジ外ステータスインジケータをブロードキャストすることを行うように実行可能である、
Ｃ５４に記載のモバイルデバイス。
［Ｃ６０］
前記命令は、前記プロセッサが、
中継ステータスに移行すると決定すること、ここにおいて、前記中継ステータスは、前記少なくとも１つの他のモバイルデバイスと基地局の前記カバレッジエリアの外で動作する少なくとも１つのカバレッジ外モバイルデバイスとの間の中継デバイスとして機能する前記モバイルデバイスの能力を示す、と、
前記中継ステータスを示す第３のピア発見信号を送信することと
を行うように実行可能である、Ｃ５４に記載のモバイルデバイス。
［Ｃ６１］
前記命令は、前記プロセッサが、
前記少なくとも１つのカバレッジ外モバイルデバイスのうちの１つから、カバレッジ外ステータスインジケータまたは中継するサービスのための要求を受信することと、
前記少なくとも１つのカバレッジ外モバイルデバイスのうちの前記１つと直接リンクを確立することと
を行うように実行可能である、Ｃ６０に記載のモバイルデバイス。
［Ｃ６２］
命令を記憶する非一時的コンピュータ可読媒体を備える、ワイヤレス通信を管理するためのコンピュータプログラム製品であって、前記命令は、プロセッサが、
モバイルデバイスを介して、第１のピア発見信号においてカバレッジ外ステータスインジケータをブロードキャストすることと、
少なくとも１つの他のモバイルデバイスから第２のピア発見信号を受信すること、ここにおいて、前記第２のピア発見信号は、中継デバイスとして機能する前記少なくとも１つの他のモバイルデバイスの能力を示す、と
を行うように実行可能である、コンピュータプログラム製品。
［Ｃ６３］
前記命令は、前記プロセッサが、
前記少なくとも１つの他のモバイルデバイスのうちの１つと直接リンクを確立することを行うように実行可能である、
Ｃ６２に記載のコンピュータプログラム製品。
［Ｃ６４］
前記命令は、前記プロセッサが、
前記少なくとも１つの他のモバイルデバイスの各々との通信の信号強度がしきい値を超えるかどうかを決定することと、
前記少なくとも１つの他のモバイルデバイスのうちの１つとの前記通信の前記信号強度が前記しきい値を超えると決定すると、前記少なくとも１つの他のモバイルデバイスのうちの前記１つと直接リンクを確立することと
を行うように実行可能である、Ｃ６２に記載のコンピュータプログラム製品。
［Ｃ６５］
前記命令は、前記プロセッサが、
中継ステータスに移行すると決定すること、ここにおいて、前記中継ステータスは、前記少なくとも１つの他のモバイルデバイスと基地局の前記カバレッジエリアの外で動作する少なくとも１つのカバレッジ外モバイルデバイスとの間の中継デバイスとして機能する前記モバイルデバイスの能力を示す、と、
前記中継ステータスを示す第３のピア発見信号を送信することと、
を行うように実行可能である、Ｃ６２に記載のコンピュータプログラム製品。
［Ｃ６６］
前記命令は、前記プロセッサが、
前記少なくとも１つのカバレッジ外モバイルデバイスのうちの１つから、カバレッジ外ステータスインジケータまたは中継するサービスのための要求を受信することと、
前記少なくとも１つのカバレッジ外モバイルデバイスのうちの前記１つと直接リンクを確立することと
を行うように実行可能である、Ｃ６５に記載のコンピュータプログラム製品。
【図１】
0006285029.tif 000002
【図２】
0006285029.tif 000003
【図３Ａ】
0006285029.tif 000004
【図３Ｂ】
0006285029.tif 000005
【図４】
0006285029.tif 000006
【図５】
0006285029.tif 000007
【図６】
0006285029.tif 000008
【図７】
0006285029.tif 000009
【図８】
0006285029.tif 000010
【図９】
0006285029.tif 000011
【図１０】
0006285029.tif 000012
【図１１】
0006285029.tif 000013
【図１２】
0006285029.tif 000014